(57)【要約】ウェアラブル装置は、温度制御された環境下において、ワイアレスなデータの読み取りを実現する。このウェアラブル装置は、利用者の上肢に着用するように構成される。このウェアラブル装置は、アンテナ及びアンテナを駆動して温度制御された環境下で、機械読み取り可能タグからワイアレスでデータを読み取る電気回路を含む。【選択図】図７
2021512417.tif 000002
【特許請求の範囲】
【請求項１】
温度制御された環境下において、ワイアレスにデータを読み取るウェアラブル装置であって、前記ウェアラブル装置は、利用者の上肢に着用されるように構成され、前記ウェアラブル装置は、
アンテナと、
前記アンテナを起動し、温度制御された環境下において、機械読み取り可能タグからワイアレスにデータを読み取るように構成された電気回路とを含む、ウェアラブル装置。
【請求項２】
前記アンテナ及び前記電気回路のハウジングをさらに備え、
前記ハウジングは、前記利用者の前記上肢に着用されるように形成される
請求項１に記載のウェアラブル装置。
【請求項３】
前記ハウジングは、
前記アンテナを収納するアンテナハウジング部を含み、前記アンテナハウジング部は、前記利用者の手に着用されるように形成される
請求項２に記載のウェアラブル装置。
【請求項４】
前記ハウジングは、前記電気回路を収納する電気回路ハウジング部を含み、前記電気回路ハウジング部は、前記利用者の手、手首又は腕に着用されるように形成される
請求項２又は３に記載のウェアラブル装置。
【請求項５】
前記ウェアラブル装置は、グローブに備え付けられるように構成されている、請求項１乃至４のいずれか１に記載のウェアラブル装置。
【請求項６】
前記ウェアラブル装置は、グローブである、請求項１乃至４のいずれか１に記載のウェアラブル装置。
【請求項７】
前記ハウジングは、前記温度制御される環境下で、熱衝撃及び流体損傷の一方又は両方を最小限にするため、前記アンテナ及び前記電気回路の一方又は両方を温度制御された環境から隔離する保護層を含む
請求項１乃至６のいずれか１に記載のウェアラブル装置。
【請求項８】
前記ハウジングは、前記温度制御された環境下で、熱衝撃及び流体損傷の一方又は両方を最小限にするため、前記アンテナ及び前記電気回路の一方又は両方から液体を導いてウェアラブル装置の外部に排出するための１又は複数の管を含む
請求項１乃至７のいずれか１に記載のウェアラブル装置。
【請求項９】
前記ハウジングは、前記温度制御された環境下で、前記ウェアラブル装置の可視性のために、表面での液体の収集を防止する疎水性コーティングを含む
請求項１乃至８のいずれか１に記載のウェアラブル装置。
【請求項１０】
前記電気回路は、機械読み取り可能タグの共振の変化を検出することにより、ワイアレスでデータを読み取るように構成される
請求項１乃至９のいずれか１に記載のウェアラブル装置。
【請求項１１】
前記機械読み取り可能タグは、識別子をエンコードする複数の共振要素を含み、
前記電気回路は、前記共振要素を振動させてワイアレスで識別子の読み取る前記アンテナを介して、前記機械読み取り可能タグへの励起信号を加えることが可能に構成される
請求項１０に記載のウェアラブル装置。
【請求項１２】
前記電気回路は、前記機械読み取り可能タグと関連付けられる磁界の検出により、自動的に前記アンテナを駆動するように構成される
請求項１乃至１１のいずれか１に記載のウェアラブル装置。
【請求項１３】
前記温度制御された環境下において可視性のため、前記機械読み取り可能タグまたは前記ウェアラブル装置に向けた指向性の照明を提供するように構成される
請求項１乃至１２のいずれか１に記載のウェアラブル装置。
【請求項１４】
前記アンテナの近傍に配置され、指向性の照明を提供する１又は複数の照明器をさらに含む
請求項１３に記載のウェアラブル装置。
【請求項１５】
前記温度制御された環境下において、前記アンテナは、前記機械読み取り可能タグの近傍に配置するために、前記装置から延長可能又は取り外し可能である
請求項１乃至１４のいずれか１に記載のウェアラブル装置。
【請求項１６】
前記温度制御された環境下において、前記機械読み取り可能タグの近傍に配置され、前記ウェアラブル装置から延長可能又は取り外し可能な第２アンテナをさらに含む
請求項１乃至１５のいずれか１に記載のウェアラブル装置。
【請求項１７】
機械読み取り可能タグと関連付けられるコンテナを配置するために、利用者によって操作可能な１又は複数のツールを有する結合部をさらに備える
請求項１６に記載のウェアラブル装置。
【請求項１８】
ウェアラブル装置は、機械読み取り可能タグと関連付けられるバイアルを受け取るバイアルリーダーをさらに備え、
前記バイアルリーダーは、機械読み取り可能タグからワイアレスでデータを読み取るための電気回路によって駆動するように動作可能なアンテナを備える
請求項１乃至１７のいずれか１に記載のウェアラブル装置。
【請求項１９】
前記機械読み取り可能タグと関連付けられるコンテナの温度を計測する１または複数の温度センサーを備える
請求項１乃至１８のいずれか１に記載のウェアラブル装置。
【請求項２０】
１又は複数の温度センサーからの温度計測値の受信、
前記コンテナに保管される温度に繊細なアイテムの生存能力の監視、及び
前記温度に繊細なアイテムの前記生存能力の利用者へのフィードバックの提供
の１又は複数を処理するように構成される処理装置をさらに備える
請求項１９に記載のウェアラブル装置。
【請求項２１】
前記電気回路と通信する処理装置さらに備え、
前記処理装置は、前記電気回路によってワイアレスで読み取られた前記データのフィードバックを前記利用者に提供するように構成され、
前記フィードバックは、前記受信データが前記機械読み取り可能タグの読み取りに十分であるか否か及び機械読み取り可能タグの識別子の一方又は両方を含む
請求項１乃至２０のいずれか１に記載のウェアラブル装置。
【請求項２２】
遠隔コンピュータ装置と通信する処理装置さらに備え、
前記処理装置は、前記機械読み取り可能タグの位置情報を前記遠隔コンピュータ装置から受信し、温度制御された環境下において、前記機械読み取り可能タグの位置決めのため、前記利用者に前記位置情報を出力するように構成される
請求項１乃至２１のいずれか１に記載のウェアラブル装置。
【請求項２３】
ウェアラブル装置の位置情報を提供するロケーション装置をさらに備え、
前記処理装置は、さらに、ウェアラブル装置の前記位置情報を受信し、温度制御された環境下において、前記機械読み取り可能タグの位置決めのため、前記利用者に指示を出力するように構成される
請求項２２に記載のウェアラブル装置。
【請求項２４】
前記ウェアラブル装置に識別子を提供する識別装置をさらに備え、
前記識別子は、データベースを利用して前記ウェアラブル装置の前記識別子を確認し、前記確認に基づいて前記温度制御された環境下への前記利用者のアクセスを許可するため、前記遠隔コンピュータ装置により読み取り可能である、
請求項１乃至２３のいずれか１に記載のウェアラブル装置。
【請求項２５】
温度制御された環境下において、ワイアレスでデータを読み取るシステムであって、
温度制御された環境下で、ワイアレスでデータを読み取るウェアラブル装置と、前記ウェアラブル装置と通信する遠隔コンピュータ装置とを含み、
前記ウェアラブル装置は、利用者の上肢に着用されるように構成され、
前記ウェアラブル装置は、アンテナと、前記アンテナを起動し、温度制御された環境下で機械読み取り可能タグからワイアレスでデータを読み取るように構成される電気回路とを含み、
前記遠隔コンピュータ装置は、温度制御された環境下で前記機械読み取り可能タグからワイアレスで読み取られたデータを受信するように構成される、システム。
【請求項２６】
前記ウェアラブル装置は、機械読み取り可能タグと関連付けられるコンテナの温度を計測する１又は複数の温度センサーをさらに備え、
前記遠隔コンピュータ装置は、さらに、
前記１又は複数の温度センサーからの温度計測値の受信、
前記コンテナに保管される温度に繊細なアイテムの生存能力の監視、及び
前記温度に繊細なアイテムの生存能力のフィードバックの前記ウェアラブル装置へのフィードバックの送信
のうち１又は複数に適合する
請求項２５に記載のシステム。
【請求項２７】
前記遠隔コンピュータ装置は、さらに、前記温度制御される環境下での前記機械読み取り可能タグの位置決めのため、前記機械読み取り可能タグの位置情報を、前記ウェアラブル装置に送信するように構成される
請求項２６に記載のシステム。
【請求項２８】
前記ウェアラブル装置は、前記ウェアラブル装置の位置情報を提供するロケーション装置をさらに備え、
前記遠隔コンピュータ装置は、さらに、前記ウェアラブル装置の前記位置情報を受信し、前記温度制御される環境下において、前記ウェアラブル装置の前記位置を追跡するように構成される
請求項２７に記載のシステム。
【請求項２９】
前記ウェアラブル装置は、前記ウェアラブル装置の識別子を提供する識別装置をさらに備え、
前記遠隔コンピュータ装置は、さらに、前記ウェアラブル装置の前記識別子を読み取り、データベースを用いて、前記ウェアラブル装置の識別子を確認し、前記温度制御された環境下への利用者のアクセスを許可する
請求項２５乃至２８のいずれか１に記載のシステム。
【請求項３０】
前記遠隔コンピュータ装置は、さらに、前記ウェアラブル装置から受信したデータを用いて在庫記録を更新する
請求項２５乃至２９のいずれか１に記載のシステム。
【請求項３１】
温度制御された環境下において、ワイアレスでデータを読み取る方法であって、
温度制御された環境下において、ワイアレスでデータ読み取るウェアラブル装置を提供するステップと、
温度制御された環境下で、電気回路を利用して、前記機械読み取り可能タグからワイアレスでデータを読み取るステップと、
を含み、
前記ウェアラブル装置は、利用者の上肢に着用されるように構成され、
前記ウェアラブル装置は、アンテナと、前記アンテナを起動し、温度制御された環境下で機械読み取り可能タグからワイアレスでデータを読み取るように構成される電気回路とを含む、方法。
【請求項３２】
ワイアレスなデータの読み取りは、
前記電気回路を用いた前記機械読み取り可能タグの共振変化の検出ステップを含む
請求項３１に記載の方法。
【請求項３３】
前記機械読み取り可能タグは、識別子をエンコードする複数の共振要素を含み、
前記共振変化の検出ステップは、
前記共振要素を振動させる前記電気回路を用いて、前記アンテナを介して、前記機械読み取り可能タグに励起信号を加えるステップと、
前記電気回路を利用して、前記識別子をワイアレスに読み取るステップと、を含む
請求項３２に記載の方法。
【請求項３４】
前記電気回路を用いて、前記機械読み取り可能タグと関連付けられる磁界を検出するステップと、
前記検出された磁界に基づいて、前記アンテナを自動的に起動するステップと、をさらに含む
請求項３１乃至３３のいずれか１に記載の方法。
【請求項３５】
前記温度制御された環境下での可視性のため、前記機械読み取り可能タグ又はウェアラブル装置に指向性の照明を提供するステップをさらに含む
請求項３１乃至３４のいずれか１に記載の方法。
【請求項３６】
前記ウェアラブル装置から前記アンテナを延長又は取り外すステップと、
前記温度制御された環境下において、前記機械読み取り可能タグの近傍に、前記アンテナを配置するステップと、をさらに含む
請求項３１乃至３５のいずれか１に記載の方法。
【請求項３７】
前記ウェアラブル装置は、さらに、第２アンテナを備え、
前記ウェアラブル装置から前記第２アンテナを延長又は取り外すステップと、
前記温度制御された環境下において、前記機械読み取り可能タグの近傍に前記第２アンテナを配置するステップと、をさらに含む
請求項３１乃至３６のいずれか１に記載の方法。
【請求項３８】
前記ウェアラブル装置は、さらに、１又は複数のツールを有する結合部を備え、
前記１又は複数のツールを用いて前記機械読み取り可能タグと関連付けられるコンテナを前記アンテナの近傍に配置するステップをさらに含む
請求項３１乃至３７のいずれか１に記載の方法。
【請求項３９】
前記ウェアラブル装置は、さらに、電気回路によって動作可能に駆動されるアンテナを有するバイアルリーダーを備え、
前記バイアルリーダーにおいて前記機械読み取り可能タグと関連付けられるバイアルを受け取るステップと、
温度制御された環境下において、前記電気回路を用いて、前記機械読み取り可能タグからワイアレスでデータを読み取るステップと、をさらに含む
請求項３１乃至３８のいずれか１に記載の方法。
【請求項４０】
前記ウェアラブル装置は、さらに、前記機械読み取り可能タグと関連付けられるコンテナの温度を計測する１又は複数の温度センサーを備え、
前記１又は複数の温度センサーを用いて、前記コンテナの温度を計測するステップをさらに含む
請求項３１乃至３９のいずれか１に記載の方法。
【請求項４１】
前記ウェアラブル装置は、さらに、処理装置を備え、
前記処理装置を用いて、前記１又は複数の温度センサーからの温度計測値を受信するステップ、
前記コンテナに保管される温度に繊細なアイテムの生存能力を監視するステップ、及び、
前記処理装置を用いて、前記温度に繊細なアイテムの生存能力のフィードバックを前記利用者へ提供するステップ、のうちの１又は複数のステップをさらに含む
請求項４０に記載の方法。
【請求項４２】
前記ウェアラブル装置と通信する前記遠隔コンピュータ装置を用いて、前記１又は複数の温度センサーから温度計測値を受信するステップ、
前記遠隔コンピュータ装置を用いて、前記コンテナで保管される温度に繊細なアイテムの生存能力を監視するステップ、及び
前記遠隔コンピュータ装置を用いて、前記温度に繊細なアイテムの生存能力のフィードバックを前記利用者のウェアラブル装置へ送信するステップをさらに含む、
請求項４０又は４１に記載の方法。
【請求項４３】
前記ウェアラブル装置は、さらに、電気回路と通信する処理装置を備え、
前記処理装置を用いて、前記電気回路によってワイアレスで読み込まれたデータを提供するステップをさらに含み、
前記フィードバックは、前記受信したデータが機械読み取り可能タグの読み取りに十分であるか否か及び前記機械読み取り可能タグの識別子の一方又は両方を含む
請求項３１乃至４２のいずれか１に記載の方法。
【請求項４４】
前記ウェアラブル装置は、さらに、前記遠隔コンピュータ装置と通信する処理装置を備え、
前記処理装置を用いて、前記遠隔コンピュータから前記機械読み取り可能タグの位置情報を受信するステップ、及び、
前記処理装置を用いて、前記温度制御される環境下において、前記機械読み取り可能タグを位置決めするため、前記利用者に位置情報を出力するステップをさらに含む
請求項３１乃至４３のいずれか１に記載の方法。
【請求項４５】
前記ウェアラブル装置は、さらに、前記ウェアラブル装置の位置情報を提供するロケーション装置を備え、
前記処理装置を用いて、前記ロケーション装置から前記ウェアラブル装置の位置情報を受信するステップと、
前記処理装置を用いて、前記温度制御された環境下において、前記機械読み取り可能タグの位置決めのために、前記利用者に指示を出力するステップをさらに含む
請求項４４に記載の方法。
【請求項４６】
前記ウェアラブル装置は、さらに、前記ウェアラブル装置の位置情報を提供する位置情報を提供するロケーション装置を備え、
前記ウェアラブル装置と通信する前記遠隔コンピュータ装置を用いて、前記ロケーション装置から前記ウェアラブル装置の位置情報を受信するステップと、
前記遠隔コンピュータ装置を用いて、前記温度制御された環境下において、前記ウェアラブル装置の位置を追跡するステップをさらに含む
請求項３１乃至４５のいずれか１に記載の方法。
【請求項４７】
前記ウェアラブル装置は、さらに、ウェアラブル装置の識別子を提供する識別装置を備え、
前記ウェアラブル装置と通信する遠隔コンピュータ装置を用いて、前記ウェアラブル装置の識別子を読み取るステップと、
前記遠隔コンピュータ装置を用いて、前記データベースを利用して前記ウェアラブル装置の識別子を確認するステップと、
前記遠隔コンピュータ装置を用いて、前記確認に基づき、前記温度制御される環境への前記利用者のアクセスを許可するステップと、をさらに含む
請求項３１乃至４６のいずれか１に記載の方法。
【発明の詳細な説明】
【技術分野】
【０００１】
本発明は、温度管理された環境下で機械読み取り可能タグからワイアレスでデータを読み取るウェアラブル装置、システム及びこれらウェアラブル装置を用いる方法に関する。機械読み取り可能タグは、温度制御された環境内の識別及び／又は位置が要求される温度に繊細なアイテムと関連付けられていてもよい。本発明は、具体的に、しかし、排他的ではなく、低温度又は極低温環下で、機械読み取り可能タグからのデータの読み取りをワイアレスで可能とするウェアラブル装置に関する。
【背景技術】
【０００２】
例を挙げると、赤血球、血漿、バクテリア株、ウィルス株、胚、ガメート、抽出されたＤＮＡ等の所定の生体サンプルは、非常に低温で長期間保存を継続することが要求される。これらのサンプルは、通常は、少なくとも−６０℃〜−２００℃より低い温度に保つことが要求される。これを達成するため、サンプルは、通常、バイアル、カセット、ボックスまたは同様の容器に入れられ、−6０℃〜−１５０℃の機械的な冷凍室又はドライアイス、又は、−１５０℃以下の液体窒素を含む極低温タンクに入れられる。これらの温度での保管は、サンプルの完全性を確保し、これにより、解凍した際の細胞の生存の可能性を最大化することができる。
【０００３】
同様に、例えば、生鮮食品、食品、生もの、薬剤、薬品、化合物等の他の温度に繊細なアイテムは、低温で保管する必要がある。例えば、冷凍食品の代表的な基準は、−１８℃より低い温度で保管し、扱う必要がある。製品を要求される温度に保つことができなかった場合、それらの品質を悪化させ、食べられない状態又は使用できない状態とし、金銭的価値や重要な製品の損失という結果にとなる。
【０００４】
上述のアイテムを消費または処理する各業界において、アイテムを追跡し、保管、処理及び輸送を含むサプライチェーンの様々なステージで品質制御のためにアイテムが適切な温度で保管されていることを判定することは重要である。保管されたアイテムの追跡は、大抵、保管庫からアイテムを取り出し、手書き又はプリントされたラベル又はバーコードの読み取りによって生じる。この方法には、記載面積の不足、拡張情報の余地のほとんどない、保管ユニットに保持される何千のアイテムから特定のアイテムを探すのが困難、等の多数の問題が生じる。加えて、低温貯蔵内でのアイテムへの着霜は、別の問題である。着霜は、しばしば、保管ユニットの冷気と混ざる保管ユニットのアクセスドア及びハッチを介した高湿度の空気の侵入により生じる。着霜の形成は、一般に産業で利用する紙のラベル又は段ボール箱の劣化を生じさせ、人や光学スキャナーによるラベルやバーコードの読み取りが正常に行なわれないことがある。
【０００５】
ある産業では、流通システムにおいて、製品を追跡するために無線自動識別（ＲＦＩＤ）タグ等の機械読み取り可能タグを用いることがある。ＲＦＩＤタグは、ＲＦＩＤタグがＲＦＩＤリーダーに近接されると、無線で読み取ることができる。無線読み取りＲＦＩＤタグは、タグ付けされた製品の情報を速やかに取得させ、正確に処理させることができる。ある産業では、常温環境の流通システムにおいて製品の追跡に手持ちのＲＦＩＤリーダーが用いられる。利用者の手は通常、手持ちのＲＦＩＤリーダーの保持し及び操作する必要があるため、利用者は、ＲＦＩＤタグを読み取る間、製品又は製品が入れられたコンテナを持つことは出来ない。これに対し、ＲＦＩＤリーダーは、常温環境下の利用者に、ウェアラブルな衣類又は衣服に組み込まれ、商品タグをより容易に読み取ることができるようになった。しかしながら、このようなウェアラブル又は手持ちのＲＦＩＤリーダーは、使用に適しておらず、また、低温又は極低温貯蔵設備等の、温度制御される環境下で動作することができない。
【０００６】
したがって、特に、低温又は極低温貯蔵設備等の温度制御される環境下でＲＦＩＤタグ等の機械読み取り可能タグを無線読み取り可能なウェアラブルデバイスが望まれ、従来技術の１又は複数の問題及び／又は不都合を改善及び／又は克服することとなる。
【０００７】
特許文書で参照される又は他の識別される先行技術は、その文書又は他の事項が既知又はそれが含む情報が、（仮の）請求項の優先日の時点での一般的な既知であったとして解釈されるべきではない。
【発明の概要】
【０００８】
本発明の一の態様によれば、温度制御された環境下でデータをワイアレスに読み取るウェアラブル装置を提供する。ウェアラブル装置は、利用者の上肢に着用することができる。ウェアラブル装置は、アンテナ及び、アンテナを駆動し、温度制御された環境下で、機械読み取り可能タグからデータをワイアレスに読み取ることができる電気回路を含む。
【０００９】
好ましくは、ウェアラブル装置は、さらに、温度が−２００℃〜−０℃の範囲に制御された環境に適用する。これにより、ウェアラブル装置は、低温又は極低温保管環境下において利用可能となることが望まれる。
【００１０】
いくつかの実施形態によれば、ウェアラブル装置は、さらに、アンテナ及び電気回路のハウジングを含み、ハウジングは、利用者の上肢に着用するように形成される。ウェアラブル装置は、グローブに組み込むように構成されてもよい。代替え的には、ウェアラブル装置は、グローブであってもよい。
【００１１】
ハウジングは、アンテナを覆うアンテナハウジング部を含むことができる。アンテナハウジング部は、利用者の手に着用される形状であってもよい。好ましくは、アンテナハウジング部は、親指又は他の指に、より好ましくは、利用者の親指又は他の指の指先に、着用されるような形状に形成される。ハウジングは、また、電気回路を覆う電気回路ハウジング部を含むことができる。好ましくは、電気回路ハウジング部は、利用者の、手、手首又は腕に着用されるような形状に形成される。
【００１２】
ハウジングは、温度制御された環境下で、熱衝撃及び流体損傷の一方又は両方を最小限にするため、アンテナ及び電気回路の一方又は両方を温度制御される環境から隔離する保護層を含むことができる。ハウジングは、また、温度制御された環境下で熱衝撃及び流体損傷の一方又は両方を最小限にするため、アンテナ及び電気回路の一方又は両方から液体を導いてウェアラブル装置の外部に排出するための１又は複数の管を含むことができる。ハウジングはまた、温度制御された環境下におけるウェアラブル装置の可視性のために、表面での液体の収集を防止するため、疎水性コーティングを含んでいてもよい。
【００１３】
いくつかの実施形態では、電気回路は、機械読み取り可能タグの共振の変化を検出し、データをワイアレスで読み取るように適用される。機械読み取り可能タグは、識別子をエンコードする複数の共振要素を含むことができる。電気回路は、共振要素を振動させてワイアレスで識別子を読み取るアンテナを介して機械読み取り可能タグへの励起信号を加えることが可能に構成されてもよい。電気回路は、機械読み取り可能タグと関連付けられる磁界の検出により自動的にアンテナを駆動するように構成されてもよい。好ましくは、機械読み取り可能タグは、ＭＥＭＳ（マイクロマシンシステム）構造を含む。
【００１４】
ウェアラブル装置は、さらに、温度制御された環境下での可視性のために、機械読み取り可能タグ又はウェアラブル装置に向けた指向性の照明を提供するよう構成されていてもよい。ウェアラブル装置は、指向性の照明を与えるための１又は複数の照明器を含むことができる。好ましくは、１又は複数の照明器は、機械読み取り可能タグの読み取りの間に指向性の照明をアンテナの近傍に配置される。
【００１５】
アンテナは、温度制御された環境下において機械読み取り可能タグの近傍に位置させるため、延長可能又は装置から取り外し可能であってもよい。ウェアラブル装置は、さらに、温度制御された環境下において機械読み取り可能タグの近傍に位置させるため、延長可能又はウェアラブル装置から取り外し可能なから第２アンテナを含んでいてもよい。第２アンテナは、利用者に保持されるように、棒状に形成されて収容されてもよい。
【００１６】
ウェアラブル装置は、さらに、機械読み取り可能タグと関連付けられるコンテナをアンテナ近傍に配置するために、利用者によって操作可能な１又は複数のツールを有する結合部を備えてもよい。
【００１７】
ウェアラブル装置は、さらに、機械読み取り可能タグと関連付けられるバイアルを受信するためのバイアルリーダーを含んでもよい。バイアルリーダーは、機械読み取り可能タグからワイアレスでデータを読み取るための電気回路によって駆動するように動作可能なアンテナを含んでよい。
【００１８】
いくつかの実施形態では、ウェアラブル装置は、さらに、機械読み取り可能タグと関連付けられるコンテナの温度を計測する１又は複数の温度センサーを含む。ウェアラブル装置は、１又は複数の温度センサーからの温度の計測結果の受信、コンテナに保管される温度に繊細なアイテムの生存能力の監視、及び、温度に繊細なアイテムの生存能力の利用者へのフィードバックの提供、のうち一以上に適用する処理装置を含むことができる。
【００１９】
ウェアラブル装置は、さらに、電気回路と通信する処理装置を含むことができる。処理装置は、電気回路によってワイアレスで読み取られたデータのフィードバックを利用者に提供するように構成することができる。フィードバックは、受信したデータが、機械読み取り可能タグの読み取りに十分であるか否か及び機械読み取り可能タグの識別子の一方又は両方を含むことができる。
【００２０】
ウェアラブル装置は、さらに、遠隔コンピュータ装置と通信する処理装置を含むことができる。処理装置は、機械読み取り可能タグの位置情報を遠隔コンピュータ装置から受信し、温度制御される環境下で機械読み取り可能タグの位置決めをするために、利用者に位置情報を出力するように構成することができる。ウェアラブル装置は、さらに、ウェアラブル装置の位置情報を提供するためのロケーション装置を備えることができる。処理装置は、さらに、ウェアラブル装置の位置情報を受信し、温度制御される環境下で機械読み取り可能タグの位置決めをするために利用者に指示を出力するように構成されることができる。
【００２１】
いくつかの実施形態では、ウェアラブル装置は、さらに、ウェアラブル装置の識別子を提供する識別装置を含むことができる。識別子は、データベースを利用してウェアラブル装置の識別子を確認し、確認に基づいて温度制御された環境下への利用者のアクセスを許可するために、遠隔コンピュータ装置によって読み取り可能にしてもよい。
【００２２】
本発明の他の態様によれば、温度制御された環境下において、ワイアレスでデータを読み取るためのシステムを提供する。システムは、ウェアラブル装置と、遠隔コンピュータ装置とを含む。ウェアラブル装置は、温度制御された環境下において、ワイアレスでデータを読み取る。ウェアラブル装置は、利用者の上肢に着用するように構成される。ウェアラブル装置は、アンテナと、アンテナを起動し、温度制御された環境下で機械読み取り可能タグからワイアレスにデータを読み取るように構成される電気回路を含む。遠隔コンピュータ装置は、ウェアラブル装置と通信可能である。遠隔コンピュータ装置は、温度制御された環境下で機械読み取り可能タグからワイアレスで読み取られたデータを受信するように構成される。
【００２３】
いくつかの実施形態では、ウェアラブル装置は、さらに、機械読取可能タグと関連付けられるコンテナの温度を計測する１又は複数の温度センサーを備え、遠隔コンピュータ装置は、さらに、１又は複数の温度センサーからの温度計測値の受信、コンテナに保管される温度に繊細なアイテムの生存能力の監視、温度に繊細なアイテムの生存能力のフィードバックのウェアラブル装置への送信のうち１又は複数に適合する。
【００２４】
遠隔コンピュータ装置は、さらに、温度制御された環境下での機械読取可能タグの位置決めのため、機械読取可能タグの位置情報をウァエアラブル装置に送信するように構成されてもよい。ウェアラブル装置は、さらに、ウェアラブル装置の位置情報を提供するロケーション装置を含んでもよい。遠隔コンピュータ装置は、さらに、ウェアラブル装置から位置情報を受信し、温度制御された環境下でウェアラブル装置の位置を追跡するように構成されてもよい。
【００２５】
ウェアラブル装置は、さらに、ウェアラブル装置の識別子を提供する識別装置を含んでよい。また、遠隔コンピュータシステムは、さらに、ウェアラブル装置の識別子を読み取り、データベースを用いてウェアラブル装置の識別子を照合し、温度制御された環境に利用者がアクセスすることを許可するように構成されてもよい。
【００２６】
遠隔コンピュータ装置は、さらに、ウェアラブル装置から受信したデータを用いて在庫記録を更新するように構成されてもよい。
【００２７】
本発明の他の態様は、温度制御された環境下で、ワイアレスでデータを読み取る方法である。その方法は、温度制御された環境下でウェアラブル装置にワイアレスでデータを提供するステップと、温度制御された環境下で、電気回路を利用して機械読取可能タグから、ワイアレスでデータを読み取るステップを含む。ウェアラブル装置は、利用者の上肢に着用可能に構成される。ウェアラブル装置は、アンテナと、アンテナを起動し、温度制御された環境下で機械読み取り式のタグからワイアレスにデータを読み取る用に構成される電気回路を含む。
【００２８】
いくつかの実施形態では、ワイアレスでデータを読み取るステップは、電気回路を利用し、機械読取可能タグの共振変化を検出するステップを含む。機械読取可能タグは、識別子をエンコードする複数の共振要素を含むことができ、共振変化を検出するステップは、共振要素を振動させる電気回路を用いて、アンテナを介し、励起信号を機械読み取り可能タグに加えるステップと、電機回路を用いて、識別子をワイアレスに読み取るステップとを含む。方法は、さらに、電機回路を用いて、機械読み取り可能タグと関連付けられる磁界を検出するステップと、検出された磁界に基づいてアンテナを自動的に起動するステップとを含む。
【００２９】
方法は、さらに、温度制御された環境下での可視性のため、機械読み取り可能タグ又はウェアラブル装置に指向性の照明を提供するステップを含む。
【００３０】
いくつかの実施形態では、方法は、さらに、ウェアラブル装置からアンテナを延長又は取り外すステップと、温度制御された環境下において、機械読み取り可能タグの近傍にアンテナを配置するステップとを含む。ウェアラブル装置は、さらに、第２アンテナを備え、方法は、ウェアラブル装置から第２アンテナを延長又は取り外すステップと、温度制御された環境下において、機械読み取り可能タグの近傍に第２アンテナを配置するステップとを含む。
【００３１】
ウェアラブル装置は、さらに、１又は複数のツールを有する結合部を備えることができ、方法は、さらに、１又は複数のツールを用いて機械読み取り可能タグと関連付けられるコンテナをアンテナの近傍に配置するステップを含んでもよい。
【００３２】
ウェアラブル装置は、さらに、電気回路によって動作可能に駆動されるアンテナを有するバイアルリーダーを備えることができ、方法は、さらに、バイアルリーダーにおいて機械読み取り可能タグと関連付けられるバイアルを受け取るステップと、温度制御された環境下で電気回路を用いて、機械読み取り可能タグからワイアレスでデータを読み取るステップとを含んでもよい。
【００３３】
いくつかの実施形態では、ウェアラブル装置は、さらに、機械読み取り可能タグと関連付けられるコンテナの温度を計測する１又は複数の温度センサーを備え、方法は、１又は複数の温度センサーを用いて、コンテナの温度を計測するステップをさらに含む。
【００３４】
いくつかの実施形態では、ウェアラブル装置は、さらに、処理装置を備え、方法は、さらに、処理装置を用いて、１又は複数の温度センサーから温度計測値を受信するステップ、処理装置を用いて、コンテナに保管される温度に繊細なアイテムの生存能力を監視するステップ、及び、処理装置を用いて、温度に繊細なアイテムの生存能力のフィードバックを利用者へ提供するステップのうちの１又は複数のステップを含む。
【００３５】
方法は、さらに、ウェアラブル装置と通信する遠隔コンピュータ装置を用いて、１又は複数の温度センサーから温度計測値を受信するステップと、遠隔コンピュータ装置を用いて、コンテナで保管される温度に繊細なアイテムの生存能力を監視するステップと、遠隔コンピュータ装置を用いて、温度に繊細なアイテムの生存能力のフィードバックを利用者のウェアラブル装置へ送信するステップとを含んでもよい。
【００３６】
ウェアラブル装置は、さらに、電気回路と通信する処理装置を備えてよく、方法は、さらに、処理装置を用いて、電気回路によってワイアレスで読み込まれたデータのフィードバックを提供するステップを含んでもよい。フィードバックは、受信したデータが機械読み取り可能タグの読み込みに十分であるか否か及び機械読み取り可能タグの識別子の一方又は両方を含んでよい。
【００３７】
ウェアラブル装置は、さらに、遠隔コンピュータ装置と通信する処理装置を備えてよく、方法は、さらに、処理装置を用いて、遠隔コンピュータ装置から機械読み取り可能タグの位置情報を受信するステップ、及び、処理装置を用いて、温度制御された環境下において、機械読み取り可能タグを位置決めするため、利用者へ位置情報を出力するステップを含んでもよい。
【００３８】
いくつかの実施形態によれば、ウェアラブル装置は、さらに、ウェアラブル装置の位置情報を提供するロケーション装置を備え、方法は、さらに、処理装置を用いて、ロケーション装置からウェアラブル装置の位置情報を受信するステップと、処理装置を用いて、温度制御された環境下において、機械読み取り可能タグの位置決めのために、利用者に指示を出力するステップとを含む。
【００３９】
ウェアラブル装置は、さらに、ウェアラブル装置の位置情報を提供するロケーション装置を含んでもよく、方法は、さらに、ウェアラブル装置と通信する遠隔コンピュータ装置を用いて、ロケーション装置からウェアラブル装置の位置情報を受信するステップと、遠隔コンピュータ装置を用いて、温度制御された環境下のウェアラブル装置の位置を監視するステップと、を含んでもよい。
【００４０】
いくつかの実施形態によれば、ウェアラブル装置は、さらに、ウェアラブル装置の識別子を提供する識別装置を含み、方法は、さらに、ウェアラブル装置と通信する遠隔コンピュータ装置を用いて、ウェアラブル装置の識別子を読み取るステップと、遠隔コンピュータ装置を用いて、データベースを用利用してウェアラブル装置の識別子を照合するステップと、遠隔コンピュータ装置を用いて、確認に基づき、温度制御される環境への利用者のアクセスを許可するステップとを含む。
【図面の簡単な説明】
【００４１】
【図１】図１は、本発明の実施形態に係る、温度制御された環境下でワイアレスにデータを読み取るウェアラブル装置の模式図であり、アンテナ及び電気回路を示す。
【図２】図２は、本発明の他の実施形態に係る、リストバンド及び指先アンテナを示す図１に示したウェアラブル装置の斜視図である。
【図３】図３は、グローブに組み込まれる図２のウェアラブルデバイスの斜視図である。
【図４】図４は、本発明の他の実施形態に係る、図１に示すウェアラブルデバイスが指先アンテナと共に取り付けられた斜視図であり、グローブに取り付けられたウェアラブル装置を示す。
【図５】図５Ａは、本発明の他の実施形態形に係る、図１に示すウェアラブル装置の上面からの平面図であり、手首及び指を覆うハウジング及び親指指先アンテナを示し、図５Ｂは、図５Ａに示すウェアラブル装置がグローブに組み込まれた下側からの平面図である。
【図６】図６Ａは、本発明の他の実施形態に係る、図１に示すウェアラブル装置の上面からの平面図であり、手首、２本の指を覆うハウジング及び親指指先アンテナを示し、図６Ｂは、図６Ａに示すウェアラブル装置がグローブに組み込まれた下側からの平面図である。
【図７】図７は、本発明の他の実施形態に係る、グローブ及びディスプレイ装置を示し、図１のウェアラブル装置の斜視図である。
【図８】図８は、本発明の他の実施形態に係る、保護層及び流体排出のための導管を示し、図７のウェアラブル装置の、グローブのｘ方向のライン８−８’を通る断面図である。
【図９】図９は、本発明の他の実施形態に係る、親指指先アンテナを示し、図７のウェアラブル装置の斜視図である。
【図１０】図１０は、本発明の他の実施形態に係る、タグ照明及び装置照明を示し、図７のウェアラブル装置の斜視図である。
【図１１】図１１Ａは、本発明の他の実施形態に係る、タンクの持ち手に取り付けられる機械読み取り可能タグを、図７のウェアラブル装置で読み取る斜視図であり、図１１Ｂは、タンクの持ち手の拡大図である。
【図１２】図１２Ａは、本発明の他の実施形態に係る、タワーの持ち手に取り付けられた機械読み取り可能タグを、図のウェアラブル装置で読み取る斜視図であり、図１２Ｂは、タンクの持ち手の拡大図である。
【図１３】図１３Ａは、本発明の他の実施形態に係るタワーに収納されるコンテナの機械読み取り可能タグを図７のウェアラブル装置で読み取る斜視図であり、図１３Ｂは、コンテナの拡大図である。
【図１４】図１４Ａは、他の実施形態に係る、コンテナの機械読み取り可能タグを図７のウェアラブル装置のアンテナを有する棒で読み取る斜視図であり、図１４Ｂは、結合部に収納される棒を示す。
【図１５】図１５は、他の実施形態に係る、バイアルの機械読み取り可能タグを図７のウェアラブル装置で読み取る斜視図である。
【図１６】図１６は、他の実施形態に係る、視覚、聴及び感覚のフィードバックを用い、コンテナの機械読み取り可能タグを図７のウェアラブル装置で読み取る斜視図である。
【図１７】図１７Ａは、他の実施形態に係る、グローブであって、指先アンテナを有する図１のウェアラブル装置の斜視図であり、図１７Ｂは、コンテナの機械読み取り可能タグをフィードバックのための表示灯を備える図１７Ａのウェアラブル装置で読み取る斜視図である。
【図１８】図１８Ａ−Ｃは、本発明の実施形態に係る、視覚のフィードバックを用い、コンテナの機械読み取り可能タグを読み取る、図７のウェアラブル装置の上面からの平面図である。
【図１９】図１９Ａ−Ｂは、本発明の実施形態に係る、水平方向（図１９Ａ）及び垂直方向（図１９Ｂ）のディスプレイスクリーンを有する図７のウェアラブル装置の平面図であって、機械読み取り可能タグの識別を示す。
【図２０】図２０Ａ−Ｅは、本発明の実施形態に係る、図１のウェアラブル装置の上面からの斜視図であり、電気回路要素ハウジング及びディスプレイ装置の配列を示し、図２０Ａは、１又は複数のツールの結合部を示し、図２０Ａは、ディスプレイ装置を除いた状態を示す。
【図２１】図２１は、本発明の他の実施形態に係る、図７に示すウェアラブル装置のバイアルリーダー及びディスプレイ装置の斜視図である。
【図２２】図２２は、本発明の他の実施形態に係る、図１のウェアラブル装置のグローブに取り付けられた指先アンテナ、バイアルリーダー、ディスプレイ装置及び光学装置を示す側面図である。
【図２３】図２３は、図１乃至２２のウェアラブル装置及び図１１乃至１８に示す機械読み取り可能タグの構成要素及び電気回路の模式図である。
【図２４】図２４は、図２３の機械読み取り可能タグのチップと対となるアンテナの模式図である。
【図２５】図２５は、図２４の機械読み取り可能タグの一部を構成する実施形態の共振要素の等角図を示す。
【図２６】図２６は、図２４及び図２５に示した機械読み取り可能タグの周波数応答のグラフを示す。
【図２７】図２７は、他の実施形態に係る、図１乃至２３に示したウェアラブル装置の構成要素及び電気回路の模式図である。
【図２８】図２８は、他の実施形態に係る、図１乃至２３に示したウェアラブル装置の構成要素及び電気回路の詳細な模式図である。
【図２９】図２９は、本発明の実施形態に係る温度制御された環境下において、ワイアレスでデータを読み取るシステムの模式図であり、機械読み取り可能タグ、ウェアラブル装置及び遠隔コンピュータ装置を示す。
【図３０】図３０は、本発明の実施形態に係る図２９のシステムの模式図であり、ウェアラブル装置が、ネットワーク装置を介してサーバ又はワークステーションと通信すされる状態を示す。
【図３１】図３１は、本発明の実施形態に係る温度制御された環境下において、ワイアレスでデータを読み取る方法のステップのフローチャートを示す。
【発明を実施するための形態】
【００４２】
次に、本発明を、類似の特徴が類似の数値によって表される添付図面を参照して、詳細に説明する。示される実施形態は例であり、添付された（仮）請求項で定義される本発明の範囲を限定するものとして解釈されるべきでないことを理解されるべきである。
【００４３】
本発明の実施形態は、縮尺通りでなく、単に本発明の説明を助けることを意図した図面を参照し、本明細書で説明される。
【００４４】
本発明の装置、システム及び方法は、低温又は極低温保管設備等の温度制御がされた環境下において、ＲＦＩＤタグ等の機械読み取り可能タグの読み取りをワイアレスで実現する際に有用ある。温度制御された環境は、−２００℃〜０℃の温度を含むことができる。機械読み取り可能タグは、温度に繊細なアイテムを格納するコンテナと関連付けられていてもよい。温度に繊細なアイテムは、赤血球、血漿、バクテリア株、ウィルス株、ガメート及び胚などの生体サンプルと、生鮮食品、食品、生もの、薬剤、薬品及び化合物等の製品と、他の低温、超低温（−８０℃未満）又は極低温保管が要求される温度に繊細なアイテムを含むことができる。本発明の装置、システム及び方法は、したがって、流通システム全体に渡って温度に繊細なアイテムを保管するコンテナの識別子及び追跡と共に使用することができる。
【００４５】
図１は、温度制御された環境下においてワイアレスでデータを読み取る好ましい実施形態に係るウェアラブル装置１００の模式図である。ウェアラブル装置１００は、利用者４００の上肢４１０に装着されるように構成される。ウェアラブル装置１００は、アンテナ１０２及びアンテナ１０２を起動し、温度制御された環境下で、機械読み取り可能タグ２００からワイアレスでデータを読み取るように構成される電気回路１０４を含む。
【００４６】
図２及び３は、リストバンド１２０及び指先アンテナハウジング１０８を有する実施形態に係るウェアラブル装置１００の斜視図である。図３に示すように、ウェアラブル装置１００は、グローブ３００上に着用されてもよく、好ましくは、グローブ３００に取り付けられてもよい。理想的には、利用者４００が着用するグローブ３００は、利用者４００の上肢４１０を保護するため、温度制御された環境下で高温または低温の極端な温度に耐えるために適している（図５及び６参照）。グローブ３００は、−２００℃〜０℃の温度に耐えるのに適した実験用又は低温用グローブであってよい。図示しないが、ウェアラブル装置１００は、常温で使用する場合において、グローブ３００無しで利用者４００の上肢４１０に直接着用されてもよい。ウェアラブル装置１００は、左又は右手用グローブ３００の上で、利用者４００の左又は右の手に着用するように構成されてもよい。好ましくは、ウェアラブル装置１００は、個人用保護具（ＰＰＥ:personal protective equipment）としての使用を可能にするような方法で、グローブ３００の上から着用され、又は、グローブ３００に組み込まれる。さらに、ウェアラブル装置１００は、個人用保護具の使用が必要とされるような温度制御された環境下において、自由な動き及び器用さを提供するために、望ましくは、柔軟な接続を含むことができる。
【００４７】
ウェアラブル装置１００は、利用者４００の上肢４１０に着用されるように成形され、アンテナ１０２及び電気回路１０４のためのハウジング１０６を含むことができる（図５及び６参照）。図１乃至３は、ハウジング１０６がアンテナ１０２を覆い、利用者４００の手に着用されるように成形されるアンテナハウジング部１０８を示す。好ましくは、アンテナハウジング部１０８は、グローブ３００の指３０２の上で利用者４００の指に着用されるように成形される。アンテナハウジング部１０８は、図３に示すように、グローブ３００の指先３０４上にのみ伸びるように成形されてもよい。アンテナハウジング部１０８は、弾性部材を含むことができる固定具１１６により指先３０４上に固定されてもよい。他の実施形態では、アンテナハウジング部１０８は、全ての指３０２に伸びるように形成されてもよく、人差し指とは異なる指に配置される形状、又は、図２及び３のグローブ３００の親指３０６又は親指指先３０８の上等の、利用者４００の親指又は親指指先の周りに着用するように形成されてもよい。
【００４８】
アンテナハウジング部１０８は、また、図２に示すように、アンテナ１０２を覆うリーダーヘッド１１８を含んでもよい。リーダーヘッド１１８は、図３０の詳細な概略図に示すように、ウェアラブル装置１００の第１リーダーを形成してもよい。図３に示されていないが、リーダーヘッド１１８は、アンテナ信号線によって示されるように、指先３０４でグローブ３００の下側３２０に配置されてもよい（図５Ｂ参照）。リーダーヘッド１１８とグローブの指先３０４との位置合わせは、利用者４００が読み取りのため、機械読み取り可能タグ２００に向かって指差ししたり、手を伸ばしたりすることができるため、ウェアラブル装置１００の直感的制御を可能とする。これは、有利なことに、コンテナ６００を保持する等の別のタスクを実行するために、フリーアーム４１２を利用者４００に提供する間に、利用者４００に、一の腕４１０でウェアラブル装置１００を用いて機械読み取り可能タグ２００を読み取ることを可能にする（図１３Ａ参照）。
【００４９】
いくつかの実施形態では、ウェアラブル装置１００は、利用者４００の手、手首又は腕に着用するように形成され、電気回路１０４を覆う電気回路ハウジング部１１０を含む。これらの実施形態では、電気回路１０４は、アンテナ１０２と別々に覆われるが、当業者は、電気回路１０４がアンテナ１０２とともにアンテナハウジング部１０８に覆われてもよいことを容易に理解するであろう。図２及び３に示すように、電気回路ハウジング部１１０は、バックル及びクリップ部材によって利用者の手首に装着されるリストバンド１２０を含んでもよい。代替え的に、リストバンド１２０は、当業者に認識される、べクトロ（登録商標）ストラップ（Velcro strap）、フック及びループの配置、又は、弾性部材、又は他の手段によって取り付けてもよい。図３に示すように、リストバンド１２０は、グローブ３００の手首部分３１２の周囲に取り付けられるが、バックル及びクリップ部材はグローブ３００の上面３３０からは見ることができない。電気回路ハウジング部１１０は、リストバンド１２０及びディスプレイ装置１２２上の滑面を含むように形成されてもよい。滑面は、温度制御された環境下の外部物体による感染又は衝突の可能性を減少させることで、ウェアラブル装置１００の物理的損傷を最小化することができる。
【００５０】
図１乃至３は、また、ウェアラブル装置１００は、アンテナ１０２及び電気回路１０４を接続するためのコネクタ１１２を覆うコネクタハウジング部１１４を含み得ることを示す。コネクタハウジング部１１４は、アンテナハウジング部１０８及び電気回路ハウジング部１１０と接続されてもよい。したがって、コネクタハウジング部１１４は、図３に示すように、使用中の動きを減少するため、グローブ３００のループに通す等により、グローブ３００に貼られていてもよい。コネクタハウジング部１１４は、利用者４００がコネクタ１１２を引っ張ることなく、グローブ３００をつけて手を握りしめ、かつ、広げることができるように、柔軟性を保つことが好ましい。
【００５１】
電気回路１０４に加えて、電気回路ハウジング部１１０は、また、図２及び３に示すように、ディスプレイスクリーン１２４を有するディスプレイ装置１２２を収容してもよい。ディスプレイスクリーン１２４は、図３に示すように、利用者４００による見やすさのために、グローブ３００の上面３３０で見ることができる。ディスプレイ装置１２２は、機械読み取り可能タグ２００から電気回路によってワイアレスで読み取ったデータのフィードバックを利用者４００に表示するように構成されてもよい。フィードバックは、読み取られたデータが機械読み取り可能タグ２００の読み取りに十分であるか否か及び機械読み取り可能タグ２００の識別子２３０を含んでよい。識別子２３０は、機械読み取り可能タグ２００と関連付けられるコンテナ６００又はコンテナ６００に格納される温度に繊細なアイテムに関する情報を提供することができる（図１１参照）。例えば、識別子２３０は、図２及び３のディスプレイスクリーン１２４に示すように、温度、番号及び名前を含むことができる。好ましくは、識別子２３０は、コンテナ６００に格納される生体サンプル等の温度に繊細なアイテムに関する情報を含むことができる。ディスプレイ装置１２２は、実施形態に含まれるが、ウェアラブル装置１００は、ディスプレイ装置１２２及び／又はフィードバック手段を除いても良い。
【００５２】
図４は、電気回路ハウジング部１１０がグローブ３００の上で利用者４００の周りに着用されるように形成されるウェアラブル装置１００の他の実施形態を示す。電気回路ハウジング部１１０は、特にグローブ３００の手のひら部３１０の周囲に着用されるように形成される。加えて、電気回路ハウジング部１１０は、ディスプレイスクリーン１２４がグローブ３００の上面３３０の電気回路ハウジング部１１０の大部分を占めるディスプレイ装置１２２を含んでもよい。このより大きなディスプレイスクリーン１２４は、温度制御された環境下で、利用者４００にとって可視性に有用である。電気回路ハウジング部１１０は、また、図４に示すように、ウェアラブル装置１００のオンオフを切り替える押下ボタン１２６を含んでもよい。
【００５３】
図５及び６は、アンテナ１０２及び電気回路１０４用の一のハウジング１０６を有するウェアラブル装置１００の実施形態を示す。図５Ａは、利用者４００の手首及び親指に着用されるように構成され、親指指先リーダーヘッド１１８を有し、グローブ３００の上面３３０からみたウェアラブル装置１００のハウジング１０６を示す。図５Ｂは、図５Ａのウェアラブル装置１００を示し、手首部分３１２、手のひら部３１０の一部、及び、グローブ３００の親指３０６上に組み込み、グローブ３００の下側３２０からの図である。図６Ａ−Ｂは、同一実施形態のハウジング１０６を示すが、追加的にグローブ３００の人差し指及び中指３０２に伸びる手のひら部３１０に着用されるように構成される。
【００５４】
図７〜２１は、ウェアラブル装置１００であるグローブ５００を着用せず、図２〜６に示したグローブ３００に付着させる又は改良する本発明の実施形態を示す。図７〜２１の実施形態は、当業者に認識されるように、図２〜６のウェアラブル装置１００に組み込んでもよいことが容易に理解できるであろう。好ましくは、ウェアラブル装置１００の構成要素は、グローブ５００と一体で形成される。グローブ５００は、図７に示すように、利用者４００の手及び腕４１０の一部に着用されるように成形される。グローブ３００と同様に、グローブ５００は、利用者４００の上肢４１０を保護するため、温度制御された環境下で、高温又は低温の極端な温度に耐えるために適していることが好ましい。例えば、グローブ５００は、低温又は極低温で使用するように、−２００℃〜０℃の温度に耐えるような材料及び接合部で構成されることができる。
【００５５】
グローブ５００と一体のウェアラブル装置１００は、左又は右手用グローブ５００の上で、利用者４００に左または右野手に着用されるように構成されてもよい。好ましくは、グローブ５００は、個人用保護具（ＰＰＥ）として使用するために利用者の手にフィットするサイズである。さらに、グローブ５００と一体のウェアラブル装置１００は、個人用保護具の使用が必要とされるような温度制御された環境下において、自由な動き及び器用さを提供するために、望ましくは柔軟な接続を含むことができる。グローブ５００は、利用者４００が個人用保護具を着用している場合の利用者のグローブ５００との相互作用のため、ボタン、ディスプレイ装置１２２及びツール１３６等の大きな構成要素を含むことができる。
【００５６】
図７に示すように、ウェアラブル装置１００のアンテナ１０２は、リーダーヘッド１１８に収納されていてもよく、グローブ５００の親指５０６の親指指先５０８に位置していてもよい。リーダーヘッド１１８は、好ましくは、アンテナ信号線で示されるようにグローブ５００の下側５２０に位置する（図９及び１０参照）。コネクタハウジング１１４は、アンテナ１０２及び電気回路１０４を接続するコネクタ１１２を収納し、図７及び８において破線で示すように、グローブ５００の内部に位置されることが好ましい。コネクタハウジング１１４は、温度制御された環境内の、フレキシブルハウジング部１１４の外部物体による干渉又は感染等のウェアラブル装置１００の物理的損傷を最小化するため、グローブ５００の内部に配置されてもよい。加えて、電気回路ハウジング部１１０は、グローブ５００の上面５３０を部分的に露出したようにすることで、前で詳しく説明したように、利用者４００にディスプレイ装置１２２及び／又は種々の入出力装置にアクセスしやすくする（図９及び１０参照）。
【００５７】
図８は、図７のウェアラブル装置１００のライン８−８’に沿った、ｘで示される方向のグローブ５００の断面図を示す。図８に示すように、グローブ５００は、ウェアラブル装置１００のアンテナ、電気回路、及び／又はコネクタのハウジング部１０８、１１０及び１１４を収納するハウジング５１２を含むことができる。電気回路ハウジング部１１０は、ディスプレイ画面１２４を有するディスプレイ装置１２２の可視性等のため、利用者４００によって利用可能にするため、部分的にグローブハウジング５１２の外側面５１４から突出してもよい。
【００５８】
いくつかの実施形態では、ウェアラブル装置１００のハウジング１０６，５１２は、温度制御された環境下で、ウェアラブル装置１００の熱衝撃及び流体損傷の一方又は両方を最小限にするように構成されてもよい。ウェアラブル装置１００は、極度の高温又は低温に晒される可能性があり、その結果、電気部品に熱衝撃をもたらす可能性がある。例えば、ウェアラブル装置１００を着用する利用者４００は、常温環境から温度制御される環境に入り、また出ることで、ウェアラブル装置１００の温度の急激な上昇または減少が生じ、これにより、電気部品に損傷をもたらす可能性がある。さらに、温度制御された環境下の極端な温度が原因で、ウェアラブル装置１００は、液体に晒される可能性があり、高温での蒸気又は凝縮物、又は、低温での溶けた氷及び液体等が、電気部品に損傷をもたらす可能性がある。
【００５９】
高温と戦うため、図２〜６の実施形態のウェアラブル装置１００のハウジング１０６は、アンテナ１０２及び電気回路１０４の一方又は両方を温度制御された環境から分離する保護層を含んでもよい（図示せず）。保護層は、は、アンテナ１０２及び電気回路１０４の一方または両方の周りを囲み、温度制御された環境下で極端な温度から分離し、及び／又は、液体と区分するウェアラブル装置１００の熱衝撃及び流体損傷の一方又は両方を最小化することができる。保護層は、例えば、防水及び／又は耐熱材料を含んでもよい。図２〜６に示すように、ウェアラブル装置１００のハウジング１０６は、また、アンテナ１０２及び電気回路１０４の一方又は両方から液体を導いてウェアラブル装置１００の外部に液体を排出するための１又は複数の導管を備えてもよい（図示せず）。蒸気、凝縮物、溶けた氷及び液体等の液体がウェアラブル装置１００のハウジング１０６に侵入した場合、導管は、液体を電機部品から遠ざけ、温度制御された環境下でウェアラブル装置１００の熱衝撃及び流体損傷の一方又は両方を最小限にするように形成及び配置される。
【００６０】
図８を参照すると、図７〜２１の実施形態に係るウェアラブル装置１００のグローブハウジング５１２は、グローブハウジング５１２の内側面５１６の間に配置された保護層５２４を含んでもよい。保護層５２４は、グローブハウジング５１２に収納されるウェアラブル装置１００の構成要素を温度制御された環境からの分離を可能とする。保護層５２４は、ウェアラブル装置１００への熱衝撃及び流体損傷からのバリアを提供することができる。例えば、液体は、利用者４００によるグローブ５００の着用前、着用後、又は、着用中、グローブハウジング５１２の内側面５１６の間でグローブ５００内に入ることができる。保護層５２４は、さらに、ウェアラブル装置１００の構成要素を、グローブ５００への液体の流入による熱衝撃及びグローブ５００への液体の流入による流体損傷から防護する。保護層５２４は、例えば、防水及び／又は耐熱素材を含んでもよい。
【００６１】
有利に、グローブ５００は、アンテナ１０２及び電気回路１０４の一方又は両方から液体を導いてウェアラブル装置１００の外部への排出するための１又は複数の導管５２２を提供してもよい。好ましくは、図８に示すように、複数の導管５２２が提供される。導管５２２は、理想的には、グローブハウジング５１２の内側面５１６の間に配置される。導管５２２は、上述したように、利用者４００によるグローブの５００着用前、着用後、又は、着用中、グローブ５００に侵入した液体を排水するように構成されていてもよい。導管５２２は、排水のためにグローブハウジング５１２の外側面５１４に液体を導く導水管を含んでいてもよい（図示せず）。導管５２２により提供されるグローブ５００の排水システムは、好ましくは、ウェアラブル装置１００の熱衝撃及び流体損傷を最小化するため、ウェアラブル装置１００の構成要素と区別され、かつ、分離される。
【００６２】
ハウジング１０６又は５１２は、温度制御された環境下における可視性のために、表面での液体の収集を防止するため、疎水性コーティングを含んでもよい。液体収集は、低温環境下で液体が凍ることによる霜、又は、高温環境下で凝縮が生じることによる蒸気を生じさせることがある。これにより、ディスプレイ装置１２２が、部分的に、又は、完全に利用者の視覚から見えなくなることがある。疎水性コーティング１３０は、図８に示すように、ディスプレイ装置１２２にも含まれることができ、温度制御された環境下において、有利に利用者４００にディスプレイ装置１２２の可視性を保つことができる。疎水性コーティング１３０は、当業者に認識される、液体の収集、特に水の収集を防止するため、種々の物質を含むことができる。
【００６３】
いくつかの実施形態によれば、図８に示すように、グローブ５００は、また、少なくとも利用者４００の上肢４１０の一部を受けかつ上肢４１０に保ち、グローブのハウジング５１２と独立で、導管５２２及び保護層５２４を含む取り外し可能なインサート５１８を含むことができる。取り外し可能なインサート５１８は、グローブハウジング５１２で覆われるウェアラブル装置１００の構成要素に追加の保護を提供することができる。取り外し可能なインサート５１８は、グローブ５００のハウジング５１２への液体の侵入を防ぐため、防水であってよく、かつ通気性のない素材を含むことができる。理想的には、取り外し可能なインサート５１８は、指５０２及び親指５０６を含むグローブ５００の全長を通って伸びる（図示せず）。取り外し可能なインサート５１８は、洗濯、かつ、再利用が可能であってもよい。いくつかの実施形態では、インサート５１８は、永久かつ、グローブ５００から取り外し不可能である。
【００６４】
さらに、ウェアラブル装置１００は、温度制御された環境下において、ウェアラブル装置１００の構成要素の物理的損傷を最小化するために、ハウジング１０６、５１２を含んでいてもよい。例えば、ウェアラブル装置１００は、温度制御された環境下において、外部の物体との干渉を低減するため、滑面を含むことができる。これは、温度制御された環境下における、ウェアラブル装置１００の部品の感染及び、それらの部品の欠け又は損傷の可能性を最小化することができる。例えば、図２乃至８に示す実施形態のように、ハウジング１０６，５１２は、外部の物体との干渉又は感染を低減するため、滑面を含むことができる。
【００６５】
ウェアラブル装置１００は、また、温度制御された環境下において、外力に耐えるように構成されてもよい。ハウジング１０６，５１２を有するウェアラブル装置１００は、ハウジング部１０８，１１０及び１１４及び／又はそこに収容された電気部品、を損傷し得る力に抵抗する材料で構成されてもよい。当業者は、ハウジング１０６のロバスト性の提供に適合した種々の材料を認識することができるであろう。ハウジング１０６，５１２は、ウェアラブル装置１００の物理的な損傷を最小限にするために、ハウジング１０６，５１２に対する電気部品の直接な接触を避ける保護構造で強化することができる（図示せず）。
【００６６】
図９は、図７及び８に図示されるようなグローブ５００を有するウェアラブル装置１００の斜視図であって、グローブ５００の下側５２０で親指指先５０８に配置され、アンテナ１０２を収容するリーダーヘッド１１８を示す。リーダーヘッド１１８は、グローブハウジング５１２の外側面５１４の真下に位置するため、目視できない。いくつかの実施形態では、図２に示す実施形態と同様に、リーダーヘッド１１８は、利用者４００による視認性のため、グローブ５００の外側面５１４から突出し、又は、グローブ５００の外側面５１４にくぼみを形成してもよい。加えて／代替え的に、グローブ５００の外側面５１４は、リーダーヘッド１１８の位置を示すために、標識又は符号を含んでもよい。これは、利用者４００により、機械読み取り可能タグ２００の読み取りを直感的に実現するために、望ましいことがある。いくつかの実施形態では、アンテナ１０２及びリーダーヘッド１１８は、代替え的に、グローブ５００の親指５０６、指５０２、指先５０４又は手のひら５１０に配置することができる。
【００６７】
図１０は、図７〜９のグローブ５００を有するウェアラブル装置１００の他の実施形態を示す。ウェアラブル装置１００は、さらに、温度制御された環境下での可視性のために、機械読み取り可能タグ２００又はウェアラブル装置１００に対して検出される光を供給するように構成してもよい。これは、温度制御された環境下で、霜、霧、及び／又は、濃縮物が原因で可視性が低減又は低くなり、又は、暗く又は光が少なくなるため、望ましい。ウェアラブル装置１００は、直接光を供給する１又は複数の照明器１８０を含むことができる（図２８参照）。好ましくは、照明器１８０は、機械読み取り可能タグ２００及びウェアラブル装置１００は、機械読み取り可能タグ２００により読み取られる間、照らされることができるように、アンテナ１０２又はリーダーヘッド１１８の近傍に配置される。
【００６８】
図１０に示すように、ウェアラブル装置１００は、機械読み取り可能タグ２００に対して光を供給するタグ照明器１３２、及び、ウェアラブル装置１００に対して光を供給する装置照明器１３４を含んでよい。装置照明器１３４は、グローブ５００の上面５３０にあり、またオプションとして、グローブ５００の下側５２０のタグ照明器１３２の反対側にあるが、アンテナ１０２の近傍に配置されてもよい。タグ照明器１３２及び装置照明器１３４は、当業者に認識されるＬＥＤ照明又は任意の種類の照明を含むことができる。タグ照明器１３２及び装置照明器１３４は、親指指先５０８に配置され示されるが、それらは、グローブ５００のどこに位置してもよい。
【００６９】
図１１乃至１５は、温度制御された環境下で、利用者４００に利用される図７〜１０に示すグローブ５００を有するウェアラブル装置１００の一例を示す。機械読み取り可能タグ２００は、温度制御された環境下で、温度に繊細なアイテムを収納するコンテナ６００と関連付けられてもよい。機械読み取り可能タグ２００は、コンテナ６００につけられ、貼られ、又は、一体形成されてもよい。図１１Ａ−Ｂは、コンテナ６００が、タンク６０２のハンドル６０４に機械読み取り可能タグ２００が取り付けられた、極低温又は低温タンク等のタンク６０２であり得ることを図示する。利用者４００は、図１１Ａに示すように、アンテナ１０２を有するグローブ５００の親指指先５０８でタンク６０２のハンドル６０４の機械読み取り可能タグ２００に接触し、ワイアレスで機械読み取り可能タグ２００を読み取ることができる。
【００７０】
他の実施形態では、図１２Ａ−Ｂは、コンテナ６００は、複数のボックス６１０を収納するタワー６０６を含み得ることを図示する。ボックス６１０は、１又は複数のバイアル６１２を収納し、各バイアル６１２は、温度に繊細なアイテムを収納する（図１５参照）。複数のタワー６０６は、図１２Ａに図示するように、タンク６０２内に収納されてもよい。各タワー６０６は、１又は複数の機械読み取り可能タグ２００を含むことができる。利用者４００は、図１２Ａに示すように、アンテナ１０２を有するグローブ５００の親指指先５０８で１のタワー６０６のハンドル６０８に備え付けられる機械読み取り可能タグ２００に接触し、ワイアレスで機械読み取り可能タグ２００を読み取ることができる。
【００７１】
他の実施形態では、図１３Ａに示すように、利用者４００は、空いている腕４１２でタワー６０６のハンドル６０８をつかみ、タンク６０２からタワー６０６を取り出すことができる。好ましくは、空いている腕４１２は、タワー６０６を持ち上げ、かつ、移動に利用するため、利用者の利き腕であって、また、利き腕でない腕は、グローブ５００を有するウェアラブル装置１００の着用に利用される。これは、温度制御された環境下において、利用者４００に、機械読み取り可能タグ２００による読み取りのタスクをより早くかつ効率的に実行することを可能に有利にすることができる。これはまた、コンテナ６００に収納される温度に繊細なアイテムが、タンク６０２又はタワー６０６等からの温度の上昇又は低下に晒される時間を最小化することとなり、アイテムの生存能力を向上することとなる。利用者４００は、グローブ５００を有するウェアラブル装置１００を他方の腕４１０に着用することがある。図１３Ａに示すように、利用者４００は、アンテナ１０２を有するグローブ５００の親指指先５０８を、タワー６０６に収納されるボックス６１０と関連付けられる１又は複数の機械読み取り可能タグ２００に接触し、ワイアレスで機械読み取り可能タグ２００を読み取ることができる。
【００７２】
いくつかの実施形態によれば、ウェアラブル装置１００は、さらに、温度制御された環境下において、機械読み取り可能タグ２００への接続を促進するため、アンテナ１０２の位置を機械読み取り可能タグ２００の近傍にしてもよい。アンテナ１０２は、機械読み取り可能タグ２００の近くに配置するため、ウェアラブル装置１００から延長可能、又は、取り外し可能であってもよい（図示せず）。アンテナ１０２は、図２に示すように、アンテナハウジング部１０８からワイヤにより、延長可能なリーダーヘッド１１８に収納されてもよい。加えて／代替え的に、リーダーヘッド１１８及び／又はアンテナハウジング部１０８は、コネクタ１１２及び／又はコネクタハウジング１１４の柔軟性により、電気回路ハウジング部１１０から延長可能であってよい。
【００７３】
図１４Ａ−Ｂは、ボックス６１０の機械読み取り可能タグ２００に近づけるため、ケーブル１８２によってウェアラブル装置１００から延長可能な第２アンテナを有する第２リーダー１７０を含むウェアラブル装置１００の他の実施形態を示す（図２８参照）。第２リーダー１７０は、結合部１３８に収納され、結合部１３８から延長され、利用者４００に棒として利用されてもよい。第２アンテナ１４０は、データがワイアレスで機械読み取り可能タグ２００から読み取られるため、電気回路１０４により起動されてもよい。いくつかの実施形態では、第２リーダー１７０は、ケーブル１８２を除き、ワイアレスに機械読み取り可能タグからグローブ５００にデータを送信してもよい。アンテナ１０２及び／又は第２アンテナ１４０は、望ましくは、小さいスペース及び／又は利用者４００にとって危険な環境下で、利用者４００が機械読み取り可能タグ２００にアクセスするため、延長可能、又は、取り外し可能であることができる。例えば、利用者４００は、利用者４００が危険にさらされること無く液体窒素が充填されるタンク６０２に収納される機械読み取り可能タグ２００にアクセスするため、アンテナ１０２及び／又は第２アンテナ１４０を利用してもよい。
【００７４】
図１４Ａ−Ｂ及び２０Ａに示すように、ウェアラブル装置１００は、第２リーダー又は棒１７０等の１又は複数のツール１３６を収納する結合部１３８を含んでもよい。結合部１３８は、グローブ５００のハウジング５１２内に位置し、ツール１３６へのアクセスを提供するため、グローブの外側面５１４に開口１８６を含むことができる。結合部１３８は、滑面を提供するため、及び、温度制御された環境下で、外部の物体との干渉の可能性を低減するため、有利に、グローブハウジング５１２に埋め込まれてもよい。他の実施形態によれば、結合部１３８は、図２０Aに示すように、１又は複数のツール１３６かを受け取り、かつ、グローブ５００の近傍に保持するため、スリーブを含むことができる。スリーブは、グローブ５００にツール１３６を取り出し可能に収納する弾性材を有する開口を含むことができる。代替え的には、結合部１３８は、ツール１３６を取り外し可能に収納するクリップである１又は複数の固定器具を有するグローブ５００上の取付部を含んでもよい。結合部１３８は、好ましくは、図１４Ａ−Ｂ及び２０Ａに示すように、グローブ５００の腕部５２６上でディスプレイ装置１２２の片側に位置する。他の実施形態では、結合部１３８は、アンテナ１０２による干渉を避けるため、腕部５２６のどこかに位置する。
【００７５】
いくつかの実施形態では、ウェアラブル装置１００は、さらに、温度制御された環境下で機械読み取り可能タグ２００へのアクセスを容易にするため、アンテナ１０２の近傍に機械読み取り可能タグ２００を位置するように適合される。ウェアラブル装置１００は、バイアル６１２等のタグ２００と関連付けられるコンテナ６００を、アンテナ１０２の近傍に配置するため、利用者４００によって操作可能な１又は複数のツール１３６を含んでもよい。図１５は、コンテナ６００が温度に繊細なアイテムを収納するバイアル６１２である他の実施形態を示す。バイアル６１２は、ベースの近傍に機械読み取り可能タグ２００を含んでもよく、それは、バイアルに取り付けられ、又は、一体形成されてもよい。利用者４００は、バイアル６１２の機械読み取り可能タグ２００を読み取るため、アンテナ１０２を有するグローブ５００の親指指先５０８の近傍に、又は、接触し、バイアル６１２を保持するためのツール１３６を利用してもよい。利用者４００は、グローブ４００を他方の腕４１０に着用している間、空いている腕４１２を利用して、ツール１３６を保持してもよい。ツール１３６は、図１５に示すように、バイアルを保持するためのピンセット、トング、又は、保持専用ツールを含むことができる。
【００７６】
いくつかの実施形態では、ウェアラブル装置１００は、さらに、電気回路１０４によるデータのワイアレスな読み取りについてフィードバックの提供に適合する。ウェアラブル装置１００は、フィードバックを提供するために電気回路１０４と通信する処理装置１４８を含んでもよい（図２９及び３０参照）。処理装置１４８は、利用者４００に受信データが機械読み取り可能タグ２００の読み取りに十分であるか否か及び機械読み取り可能タグ２００の識別子２３０の一方又は両方を含むフィードバックを提供するように適用されてもよい。ウェアラブル装置１００は、また、視覚、聴覚、又は感覚によるフィードバックの１又は複数を利用者４００に提供する出力装置１５２を含んでもよい。処理装置１４８及びウェアラブル装置１００の電気部品について、以下により詳細に説明する。
【００７７】
図１６は、グローブ５００を有するウェアラブル装置１００を着用し、ボックス６１０上の機械読み取り可能タグ２００をワイアレスに読み取りする利用者４００の一例を示す。出力装置１５２は、利用者４００に、視覚によるフィードバックを提供する１又は複数の表示灯１４２を含んでもよい。図１６に示すように、表示灯１４２は、グローブ５００の親指５０６の親指指先５０８に位置してもよい。好ましくは、表示灯１４２は、リーダーヘッド１１８に位置する。表示灯１４２は、このような場所に位置するが、利用者４００に視認されるように、グローブ５００上のいずれに位置してもよい。アンテナ１０２は、また、親指指先５０８に収納され、リーダーヘッド１１８によって、グローブ５００の下側５２０のボックス６１０に向けられてもよい（図９及び１０参照）。好ましくは、表示灯１４２は、機械読み取り可能タグ２００の読み取りの際、利用者４００の可視性のため、グローブ５００の上面５３０に位置する。このように、１又は複数の表示灯１４２は、温度制御された環境下で視認のため、光を利用者４００に向けるように配置してもよい。表示灯１４２は、当業者に認識されるＬＥＤ照明又は任意の種類の適切な照明を含むことができる。受信するデータが、機械読み取り可能タグ２００の読み取りに十分でないとき、表示灯１４２は、閃光してもよい。そうでなければ、表示灯１４２は、例えば、５秒等、所定間隔で発光し、受信したデータが機械読み取り可能タグ２００の読み取りに十分であることを利用者４００に示してもよい。
【００７８】
出力装置１５２は、また、利用者４００に、聴覚によるフィードバックを提供するスピーカー装置１４４、又は、感覚によるフィードバックを提供する振動装置１４６を含んでもよい。スピーカー装置１４４及び振動装置１４６は、ウェアラブル装置１００のハウジング５１２に収納されてもよい。好ましくは、スピーカー装置１４４及び振動装置１４６は、リーダーヘッド１１８に配置される。スピーカー装置１４４は、グローブ５００の指５０２の近傍に位置するように図示され、振動装置１４６は、グローブ５００の手のひら５１０の裏側の近傍に位置するように図示されるが、グローブ５００のいずれに位置していてもよい。スピーカー装置１４４は、利用者４００にフィードバックを提供するため、音調（トーン）、音楽又は言葉を提供する。例えば、受信したデータが機械読み取り可能タグ２００の読み取りに十分でない場合、スピーカー装置１４４は、短い音調又は「読み取り不足」等の言葉を提供してもよい。そうでなければ、スピーカー装置１４４は、長い音調又は「読み取り良好」等の言葉を提供してもよい。グローブ５００を介して利用者４００が感じることのできる振動装置１４６は、振動又は触覚によるフィードバックを利用者４００に提供してもよい。振動装置１４６は、仮に、受信したデータが機械読み取り可能タグ２００の読み取りに十分な場合、例えば、５秒等、所定時間振動してもよく、そうでない場合、振動を提供しない。
【００７９】
図１７Ａ−Ｂは、ボックス６１０に機械読み取り可能タグ２００を読み取るグローブ５００を有するウェアラブル装置１００の他の実施形態を示す。上述した実施形態と比較して、ウェアラブル装置１００は、図１７Ａに示すように、グローブ５００の下側５２０の親指５０６に配置されるアンテナ１０２を収納するリーダーヘッド１１８を含む。利用者４００が、図１７Ｂに示すように、グローブ５００に手を入れた状態でボックス６１０を持ったとき、機械読み取り可能タグ２００は、リーダーヘッド１１８を機械読み取り可能タグ２００に近づけることで、読み取ることができる。アンテナ１０２を有するリーダーヘッド１１８を機械読み取り可能タグ２００に近づける必要はない。代わりに、アンテナ１０２の近くで、機械読み取り可能タグ２００の読み取りを可能とすることができる。加えて、表示等１４６は、図１７Ｂに示すように、グローブ５００の親指指先５０８の代わりに、親指５０６に位置してもよい。代替え的に、表示等１４６は、利用者４００に視認されるために、グローブ５００のいずれに配置されてもよい。
【００８０】
いくつかの実施形態によれば、出力装置１５２は、図２及び３に示すように、ディスプレイ装置１２２であってもよい。ディスプレイ装置１２２は、視覚、聴覚、又は感覚の１又は複数によるフィードバックを利用者４００に提供することができる。ディスプレイ装置１２２は、ウェアラブル装置１００の電気回路ハウジング部１１０に収納され、利用者４００に視覚によるフィードバックを提供するディスプレイスクリーン１２４を含むことができる。図１８Ａ−Ｃは、利用者４００が、ボックス６１０の機械読み取り可能タグ２００を読み取るグローブ５００を有し、ディスプレイ装置１２２に利用者４００への視覚によるフィードバックを表示するウェアラブル装置１００を着用する一例を示す。これらの実施形態では、アンテナ１０２は、グローブ５００の１又は複数の指５０２に配置される。図１８Ａは、グローブ５００の親指５０６を利用した機械読み取り可能タグ２００におる読み取りを誤った方法を示す。視認することができないが、ディスプレイ装置１２２は、ディスプレイスクリーン１２４に、利用者４００に受信データが機械読み取り可能タグ２００の読み取りに十分でないことを示すクロス“×”を表示してもよい。図１８Ｂ及び１８Ｃは、アンテナ１０２を有するグローブ５００の指５０２のいずれかを利用し、機械読み取り可能タグ２００で読み取りを正しくした方法を示す。読み取ったデータが、機械読み取り可能タグ２００の読み取りに十分であるとき、図１８Ｂ及び１８Ｃに示すように、ディスプレイ装置１２２は、利用者４００に対し、ディスプレイスクリーン１２４にチェックマークを表示してもよい。
【００８１】
仮に、処理装置１４８が読み取ったデータが機械読み取り可能タグ２００の読み取りに十分であると決定したとき、処理装置１４８は、機械読み取り可能タグ２００の識別子２３０を読み取ってもよい。タグ２００は、図２及び３に示すように、タグ２００と関連付けられるコンテナ６００の識別子情報を提供するために、機械読み取り識別子２３０の提供に適用してもよい。識別子２３０は、コンテナ６００に収納される温度に繊細なアイテムの情報を含むことができる。例えば、情報は、アイテムの数、タイプ、生成日、有効期限、及び、位置情報を含むことができる。図１９Ａ−Ｂは、処理装置１４８によって読み取られた識別子２３０を表示するディスプレイスクリーン１２４を有するディスプレイ装置１２２を示す。図１９Ａは、水平ディスプレイスクリーン１２４を示すのに対し、図１９Ｂは、垂直ディスプレイスクリーン１２４を示す。識別子２３０は、温度及び識別番号及びコンテナ６００の名称を含むことができる。識別子２３０からの情報は、温度制御される環境下で保管される生体サンプル等の、温度に繊細なアイテムと関連付けられてもよい。有利に、温度に繊細なアイテムは、温度制御された環境から取り出されること無く識別されることができ、これにより、アイテムの生存能力等の可能性を低減することができる。
【００８２】
図２０Ａ−Ｅは、図７乃至１９に示すグローブ５００を有するウェアラブル装置１００の他の実施形態を示し、グローブ５００の上面５３０を示す。図２２Ａは、アンテナ１０２の近傍にコンテナ６００を保持するための１又は複数のツール１３６を収納する結合部１３８を有するグローブ５００を有するウェアラブル装置１００を示す。
【００８３】
図２０Ｂ及び２０Ｃは、グローブ５００のディスプレイ装置１２２の位置の変形例を示す。図２０Ｂは、ディスプレイ装置１２２が電気回路ハウジング部１１０と別に収納され得る例を示す。ディスプレイ装置１２２は、グローブ５００の右側に収納されてもよく、電気回路ハウジング部１１０は、グローブ５００左側に収納されてもよく、又は、その逆で、グローブ５００の腕部５２６でもよい。図２０Ｃは、ディスプレイ装置１２２がグローブ５００手部５２８とは別に収納され、グローブ５００を有するウェアラブル装置１００の実施形態を示す。
【００８４】
図２０Ｄは、グローブ５００を有するウェアラブル装置１００の実施形態を示し、グローブ５００の手首部５３２のディスプレイスクリーン１２４を有するディスプレイ装置１２２を含み得る電気回路ハウジング部１１０を示す。ディスプレイスクリーン１２４は、グローブ５００の上面５３０の電気回路ハウジング部１１０のスペースの大部分を占める。ディスプレイスクリーン１２４は、図２０Ｄに示すように、機械読み取り可能タグ２００のインジケータ２３０の温度を表示してもよい。ディスプレイスクリーン１２４は、利用者４００による他の方向の視認のため、ジャイロが搭載されてもよく、これは、温度制御された環境下で、ウェアラブル装置１００のある角度が利用者の視界から不明瞭になる場合に有用にすることができる。したがって、ウェアラブル装置１００は、有利なことに、温度制御された環境下で、ウェアラブル装置１００の可視性を向上し、及び／又は、ディスプレイスクリーン１２４にフィードバックバックを表示することができる。
【００８５】
図２０Ｅは、ディスプレイ装置１２２を除いたグローブ５００を有するウェアラブル装置１００の実施形態を示す。代わりに、ウェアラブル装置１００は、グローブ５００の親指５０６にある複数の表示灯１４２によって、利用者４００にデータの読み取りのフィードバックを提供するように適用される。加えて／代替え的に、ウェアラブル装置１００は、聴覚又は感覚によるフィードバックを利用者４００に提供してもよい。さらに、いくつかの実施形態では、利用者４００にデータの読み取りのフィードバックを提供しなくてもよい。
【００８６】
いくつかの実施形態では、ウェアラブル装置１００は、図２１に示すように、機械読み取り可能タグ２００と関連付けられるバイアル６１２から受信するバイアルリーダー１５４を含むことができる。バイアルリーダー１５４は、機械読み取り可能タグ２００からワイアレスのデータを読み取るために、電気回路１０４によって起動されるように操作可能なアンテナ１８４を含むことができる（図２８参照）。利用者４００は、バイアル６１２を保持し、機械読み取り可能タグ２００を読み取るためのアンテナ１８４の近傍に配置するためのツール１３６を操作することができる。バイアルリーダー１５４は、バイアル６１２を受信するように、例えば、バイアル６１２の端部を受け取るための曲線状の縁等が成型される。好ましくは、バイアルリーダー１５４は、グローブ５００の上面５３０に位置する。図２１に示すように、バイアルリーダー１５４のデータ読み込みのフィードバックは、ディスプレイ装置１２２に提供されてよく、読み込んだデータが機械読み取り可能タグ２００の読み込みに十分であることを示すがチェックマークを表示してもよい。
【００８７】
いくつかの実施形態では、バイアルリーダー１５４は、グローブ５００のいずれかの指５０２、親指５０６又は手の５１０に配置される第１リーダー１１８又は第２リーダー１７０の代わりに提供される。代替え的には、バイアルリーダー１５４は、リーダーヘッド１１８及び／又は第２リーダーに加えて提供されてもよく、バイアル６１２の読み取り可能タグ２００を読み取る少なくとも自身のアンテナ１８４を含んでもよい。電気回路１０４は、駆動し、リーダーヘッド１１８にあるアンテナ１０２及び／又はバイアルリーダー１５４にあるアンテナ１８４からワイアレスでデータを読み取るように構成されてもよい。代替え的には、ウェアラブル装置１００は、さらに、駆動し、バイアルリーダー１５４のアンテナ１８４からワイアレスで読み取るための電気回路を含んでもよい。
【００８８】
いくつかの実施形態では、ウェアラブル装置１００は、さらに、機械読み取り可能タグ２００と関連付けられるコンテナ６００の温度を計測する１又は複数の温度センサー１６２を含んでもよい（図２８参照）。バイアルリーダー１５４は、バイアル６１２の温度を計測する１又は複数の温度センサー１６２を含んでもよい。追加的に／代替え的に、温度センサー１６２は、ウェアラブル装置１００のアンテナハウジング部１０８を含んでもよい。コンテナ６００内に収納される温度に繊細なアイテムの生存能力の評価に、コンテナ６００の温度の計測及び監視は、有益であり得る。例えば、仮に、コンテナ６００、例えばバイアル６１２が、タンク６０２又はタワー６０６から取り出されタ場合、温度に繊細なアイテムの温度は、理想の保管温度から上昇し、又は、低下することがある。したがって、コンテナ６００の特定の温度でさらされることの監視は、例えば、タンク６０２又はタワー６０６にバイアル６１２を戻す場合を利用者４００に示すために有効となり得る。ウェアラブル装置１００は、また、ソフトウェア又はハードウェアにより提供され、ディスプレイ装置１２２を介し、利用者４００に、コンテナ６００が、理想的でない保管温度に晒されたことのフィードバックを提供するタイマー１６４を含むことができる（図２８参照）。タイマー１６４は、また、温度に繊細なアイテムの生存能力を保つため、バイアル６１２が、タンク６０２又はタワー６０６に戻されるべき時を示すことができる。温度センサー１６２は、レーザー及び／又は赤外を含む光学温度センサー、サーモカップルサーミスタ及び／又は抵抗温度検出器（ＲＴＤ）を含む線材温度センサー、又は、当業者によって考え得る種々のセンサーを含んでもよい。
【００８９】
いくつかの実施形態によれば、ウェアラブル装置１００は、さらに、コンテナ６００の周辺環境の湿度を計測する１又は複数の湿度センサー１９０を含んでもよい（図２８参照）。湿度センサー１９０は、ウェアラブル装置１００のバイアルリーダー１５４及び／又はアンテナハウジング部１０８を含んでもよい。代替え的に、湿度センサー１９０は、ウェアラブル装置１００のどこに配置されてもよい。コンテナ６００周辺の環境の湿度の計測及び監視は、コンテナ６００近傍の湿度の含有の評価、及び、例えば、低温環境下でのコンテナ６００自体又は収納される温度に繊細なアイテムの霜の生成の可能性の決定に有用であり得る。湿度の監視により、霜の生成に対する対策を推進することができる利用者４００へのフィードバックの提供を実現することができる。湿度センサー１９０は、容量センサー、抵抗センサー、熱伝導性センサー、又は、当業者が考え得る種々のタイプのセンサーであってよい。
【００９０】
いくつかの実施形態によれば、ウェアラブル装置１００は、さらに、ウェアラブル装置１００の周辺環境のガス濃度を計測する１又は複数のガスセンサー１９２を含むことができる（図２８参照）。好ましくは、ガスセンサー１９２は、ウェアラブル装置１００のハウジング１０６、又は、グローブハウジング５１２の利用者の頭に近い位置に配置される。例えば、ガスセンサー１９２は、グローブ５００の腕部５２６に配置されてもよい。ウェアラブル装置１００の周囲環境のガス濃度の計測及び管理は、利用者４００の周囲環境での安全の評価に有効であり得る。好ましくは、ガスセンサー１９２は、周囲環境でのオゾン濃度の計測に適合するが、一酸化炭素及び二酸化窒素等の有毒ガスの計測もしてもよい。ガスセンサー１９２は、電気化学センサー、赤外線センサー、熱伝導性センサー、又は、当業者が考え得る種々のタイプのセンサーであってよい。
【００９１】
図２２は、既存のグローブ３００に組み込まれたウェアラブル装置１００の実施形態を示す。ウェアラブル装置１００は、親指指先にアンテナ１０２を有する第１リーダー又はリーダーヘッド１１８、バイアルリーダー１５４、ディスプレイ装置１２２を有する電気回路ハウジング部１１０、及び、光学リーダー１５８を含むことができる。光学リーダー１５８は、バーコード等からのしるし及び英数字データの一方又は両方等に代表されるデータをワイアレスに読み取る光学センサー１６０を含むことができる（図２８参照）。各構成要素は、電気的及び／又は物理的に、ウェアラブル装置１００のストラップ１５６によって連結される。構成要素は、ストラップ１５６により、既存のグローブ３００に取り付けられ、又は改良されても良い。好ましくは、ストラップ１５６は、ウェアラブル装置１００をグローブ３００に取り付ける弾性材料を含む。代替え的には、各構成要素を有するウェアラブル装置１００は、グローブ５００と一体に形成される。
【００９２】
図２３は、上述した実施形態に係るウェアラブル装置１００及び機械読み取り可能タグ２００の構成要素及び電気回路の概略図を示す。機械読み取り可能タグ２００は、チップ２０４と通信するアンテナコイル２０２を含むことができる。機械読み取り可能タグ２００は、例えば、ＲＦＩＤチップ２０４を有するＲＦＩＤタグ２００であってよい。ウェアラブル装置１００は、特に、アンテナコイル１０２及び関連する電気回路１０４を含む。ウェアラブル装置１００の電気回路１０４は、機械読み取り可能タグ２００の共振の変化を検出し、機械読み取り可能タグ２００からワイアレスにデータを読み取るように適用されてもよい。
【００９３】
図２４は、図２３の機械読み取り可能タグ２００が、識別子２３０をエンコードするチップ２０４に複数の共振部材２１２を含む例を示す。複数の共振部材２１２は、それぞれ特定の共振周波数をもち、また、互いに異なる共振周波数をもつことができる。共振部材２１２は、図２５に示すような、マイクロ機械振動部材２１８であり得る。通常の導電体２１４は、共振部材２１２に付随して動作し、共振部材２１２に関連付けられる３つのＵ字型の部分を含む機械読み取り可能タグ２００のチップ２０４の一部である。共振部材２１２は、機械読み取り可能タグ２００のアンテナコイル２０２を介してファラデー誘導により、導電体２１４に交流電流を誘導するアンテナ１０２を介して、電気回路１０４によって生成された例示信号により、振動を生じることができる。ＬＥＤ照明２１６は、導電体２１４に交流電流が誘導されているとき、発光してもよい。機械読み取り可能タグ２００は、アンテナコイル２０２により取得され、ウェアラブル装置１００の電気回路１０４によって読み取られたデータを、アンテナコイル１０２を介してチップ２０４から受信してもよい。いくつかの実施形態では、データは、任意で、図２３に示すように、処理又は記録のため、電気回路１０４から遠隔コンピュータ装置７０２に送信されてもよい。そうでない場合、データは、図２７に示すように、処理又は記録のため、電気回路１０４からウェアラブル装置の処理装置１４８に送信されてもよい。
【００９４】
共振部材２１２は、ローレンツ力により振動され得る。ローレンツ力は、直交する次回を通って進む帯電した微粒子の動きで生じる力である。この例では、磁界は、導電体２１４を通る電流の流れに垂直方向に共振部材２１２に加える。いくつかの実施形態では、機械読み取り可能タグ２００は、さらに、図２３に示すように、機械読み取り可能タグ２００に直角に磁界を加える磁石２０６、または、構成要素を含むことができる。例えば、磁石２０６は、機械読み取り可能タグ２００のチップ２０４に近接した下方に配置することができる。代替え的には、磁石２０６は、機械読み取り可能タグ２００と関連付けられるコンテナ６００に含めることができる（図示せず）。
【００９５】
図２４は、２つの柱部２２４及び２２６により支持され、基板２２０から突出する梁部２２８を含み、ブリッジ構造２２２を形成する振動手段２１８を描写する。図示するような導電性経路２１４は、図２３に示すように、チップ２０４の電気回路の一部を形成する。導電体２１４の電流が、交流電流であるため、磁界（例えば、磁石２０６による）により生成される直交な力は、また、交流力であり、梁部２２８に振動が生じる。仮に、導電体２１４の交流電流の周波数が、梁部２２８の共振周波数又はそれに近い場合、梁部２２８は振動する。振動部材２１８は、本出願人の国際特許出願WO 2004/084131により詳しく記載され、本願にそこに記載される全てを含むものとする。
【００９６】
図２５に示すように、機械読み取り可能タグ２００の一部を構成する各共振部材２１２は、所定の数の共振周波数ｆ1，ｆ2，ｆ3等のうち、１に対応する概念的な共振周波数を持つ。好ましくは、共振周波数ｆ1，ｆ2，ｆ3等は、異なる周波数のレンジである。仮に、電気回路１０４が、周波数位置ｆ1以降の、いずれかで共振周波数を検出したとき、電気回路１０４は、その共振周波数は、バイナリ“１”であると解釈する。それに対し、これら、いずれかの所定の周波数位置の共振周波数が無いとき、バイナリ“０”と解釈される。この、電気回路１０４によるバイナリ１及び０の検出のシーケンスは、機械読み取り可能識別子２３０に対応する。共振部材２１２，２１８を有する機械読み取り可能タグ２００の読み取りは、本出願人の国際特許出願WO 2010/037166により詳しく記載され、本願に底に記載される全てを含むものとする。
【００９７】
機械読み取り可能識別子２３０を有する機械読み取り可能タグ２００は、CMOS等のMEMS構造を含む必要がないアクティプ又はRFIDタグに基づくパッシブなRFIDタグと置き換えられても良い。例えば、温度に依存する値を持つ抵抗器は、タグの一部として形成され、その値が読み取られる。代替え的には、機械読み取り可能タグ２００の一部として形成されるアンテナは、調整されたアンテナにより検出可能な温度に依存するインピーダンスを持つことができる。当業者は、本発明の背景に適して利用される種々の機械読み取り可能タグ２００を思いつくであろう。
【００９８】
加えて、ウェアラブル装置１００の機能を、本発明の実施形態に基づくウェアラブル装置１００の構成要素及び構成部品の模式図である、図２７及び２８を参照して説明する。
【００９９】
いくつかの実施形態によれば、ウェアラブル装置１００は、さらに、アンテナ１０２を起動し、かつ、機械読み取り可能タグ２００からワイアレスでデータを読み取るために、電気回路１０４を起動するための利用者の起動装置を含むことができる。利用者の起動装置は、利用者４００によって手動で操作可能な、図２８に示すような圧力スイッチ１７２を含むことができる。好ましくは、圧力スイッチ１７２は、アンテナ１０２の近傍に配置され、理想的には、図２に示したような指先アンテナハウジング部１０８のリーダーヘッド１１８に配置される。圧力スイッチ１７２は、利用者４００が、機械読み取り可能タグ２００を読み取るために電気回路１０４の起動を望む際に、手動で圧力を与える押下可能ボタンを含むことができる。
【０１００】
いくつかの実施形態によれば、電気回路１０４は、自動的に、アンテナ１０２を起動し、機械読み取り可能タグ２００からワイアレスでデータを読み取るように適用されてもよい。電気回路１０４は、機械読み取り可能タグ２００と関連付けられる磁界の検出により、自動的に、アンテナ１０２を起動するように適用されてもよい。例えば、機械読み取り可能タグ２００は、図２３に示すような磁石２０６を含むことができる。電気回路１０４は、磁石２０６と関連付けられる磁界の強さを検出することができ、その強さが閾値又は値域を上回ったとき、自動的にアンテナ１０２を起動する。これは、液体窒素が充填されるタンク６０２内等、機械読み取り可能タグ２００が利用者４００のアクセスから困難又は危険な場所にある状況において、極めて有効であることがある。
【０１０１】
他の実施形態によれば、電気回路１０４は、ウェアラブル装置１００近傍の機械読み取り可能タグ２００から、ワイアレスでデータを読み取るため、自動的に、例えば、２秒毎等、一定間隔で、アンテナ１０２を起動してもよい。電気回路１０４は、また、機械読み取り可能タグ２００の周波数のスペクトラムを検出するため、アンテナ１０２を流れるさまざまなレベルの電流を導くことができる。アンテナ１０２の自動起動は、また、ウェアラブル装置１００を保持する利用者４００が温度制御された環境下を通過して移動し、離れた場所にある機械読み取り可能タグ２００を自動で読み取ることを可能とする。
【０１０２】
図２８に示したように、電気回路１０４は、第１リーダー１１８のアンテナコイル１０２、第２又は棒状リーダー１７０のアンテナコイル１４０、及び、バイアルリーダー１５４のアンテナコイル１８４等の複数のアンテナコイルと通信してもよい。電気回路１０４は、機械読み取り可能タグ２００を読み取るため、１又は複数のアンテナコイルを起動するように適用されてもよい。図２８には、１の電気回路１０４のみ図示されるが、各リーダー１１８，１７０及び１５４が、各アンテナ１０２，１４０及び１８４をそれぞれ起動する電気回路部品１０４を含んでもよいことが、当業者によって容易に理解される。図２８に示される構成要素は、図２２に示したウェアラブル装置１００の構成要素の実例である。
【０１０３】
上述したように、ウェアラブル装置１００は、図２７及び２８に示したように、電気回路１０４と通信することができる処理装置１４８を含むことができる。処理装置１４８は、当業者によって、認識されるように、一般に知られる中央処理装置（CPU:Computer Processing Unit）であってよい。例えば、処理装置１４８は、ETXフォームファクターPCBに配置されるインテルコーポレーション（登録商標）によるセレロン（登録商標）チップ、又は、マイクロコントローラ等のコントローラを含むことができる。処理装置１４８は、ハードドライブなどの不揮発性メモリを含む記憶装置１６８と通信するように構成されてもよい。処理装置１４８は、ウェアラブル装置１００でデータを処理するため、記憶装置１６８に記憶される命令を実行するように構成されてもよい。
【０１０４】
いくつかの実施形態では、ウェアラブル装置１００は、電気回路１０４及び処理装置１４８のうち、一方又は両方と通信する通信装置１５０を任意で含むことができる。通信装置１５０は、電気回路１０４によりワイアレスで読み取ったデータを、処理装置１４８による処理の有無にかかわらず、遠隔コンピュータ装置７０２に、直接、送信するように構成されてもよい。フィードバックは、遠隔コンピュータ装置７０２により提供され、任意で、通信装置１５０を介してウェアラブル装置１００に返送される。代替え的に、通信装置１５０は、処理装置１４８からワイアレスで読み取られたデータのフィードバックを受信し、遠隔コンピュータ装置７０２にフィードバックを送信するように構成されてもよい。通信装置１５０は、また、位置情報、温度情報及びウェアラブル装置１００の識別子等の追加情報を、遠隔コンピュータ装置７０２に送信するように構成されてもよい。通信装置１５０は、ウェアラブル装置１００からのデータを、ネットワーク装置７０４を介して遠隔コンピュータ装置７０２に送信するのに適合したアンテナを含んでもよい（図３０参照）。
【０１０５】
処理装置１４８は、図２８に示し、上述したように、出力装置１５２によって、ワイアレスで読み取ったデータのフィードバックを利用者４００に提供してもよい。特に、ディスプレイ装置１２２は、利用者４００から入力を受け付ける入力／出力装置１７８を含むことができる。ディスプレイ装置１２２は、例えば、ユーザ名及びパスワードを含む、利用者４００からのログイン詳細を受信してもよい。加えて／代替え的に、ディスプレイ装置１２２は、遠隔コンピュータ装置７０２へのデータ及び／又はフィードバックの送信、又は、記憶装置１６８へのデータ及び／又はフィードバックのローカルな記録等の、利用者の指示を受信してもよい。
【０１０６】
ウェアラブル装置１００は、また、図２８に示すように、利用者４００によって操作可能な、ウェアラブル装置１００の電力源１６６をオンまたはオフに切り替えるオン／オフスイッチ１２６を含んでもよい。電力源１６６は、好ましくは、温度制御された環境下において、ウェアラブル装置１００で、ワイアレスで利用されるバッテリーである。代替え的には、電力源１６６は、例えば、電気プラグの差し込み口への接続であってもよい。
【０１０７】
処理装置１４８は、ウェアラブル装置の１又は複数の温度センサー１６２から温度計測値を受信するように構成されてもよい。温度センサー１６２は、アンテナ１０２を収納するバイアルリーダー１５４及びリーダーヘッド１１８の一方又は両方、又は、ウェアラブル装置１００の他の場所に配置されてもよい。処理装置１４８は、機械読み取り可能タグ２００と関連付けられるコンテナ６００に保管される、温度に繊細なアイテムの生存能力を監視するように構成されてもよい。これは、例えば、温度に繊細なアイテムに対し、温度計測値が、閾値又は値域等、要求される保管温度を上回った否かを判定することを含むことができる。処理装置１４８は、利用者４００に、出力装置１５２を介して、温度計測値及び／又は仮に要求される保管温度を上回った場合のアラームを出力する等により、温度に繊細なアイテムの生存能力のフィードバックを供給してもよい。
【０１０８】
処理装置１４８は、また、１又は複数の湿度センサー１９０からウェアラブル装置１００の湿度計測結果を受信し、及び／又は、１又は複数のガスセンサー１９２からウェアラブル装置１００のガス濃度計測結果をするように構成されてもよい。処理装置１４８は、さらに、機械読み取り可能タグ２００と関連付けられるコンテナ６００近傍の湿度及び／又はガス濃度を監視するように構成されてもよい。例えば、これは、湿度計測結果及び／又はガス濃度計測結果が、閾値及び値域等の、要求される保管湿度及び／又は保管ガス濃度を上回ったか否かの判定をすることを含むことができる。処理装置１４８は、さらに、利用者４００に、コンテナ６００近傍での湿度上昇の可能性及び／又は周辺環境のガス濃度が利用者４００にとって安全であるかのフィードバックを提供するように構成されてもよい。例えば、処理装置１４８は、出力装置１５２を介し、湿度及び／又はガス濃度の測定結果、及び／又は、要求される保管湿度／及び又はガス濃度を上回った場合のアラームを出力してもよい。
【０１０９】
処理装置１４８は、また、遠隔コンピュータ装置７０２からの機械読み取り可能タグ２００の位置情報を受信し、温度制御された環境下において、機械読み取り可能タグ２００を位置設定するため、利用者４００に位置情報を出力するように構成されてもよい。処理装置１４８は、ディスプレイ装置１２２に機械読み取り可能タグ２００の位置情報を報じする等、出力装置１５２を介して利用者４００に位置情報を出力してもよい。
【０１１０】
ウェアラブル装置１００は、また、図２８に示すように、ウェアラブル装置１００の位置情報を提供するロケーション装置１７４を含むことができる。ロケーション装置１７４は、全地球測位システム（GPS：Global Positioning System）センサーを含んでもよい。処理装置１４８は、さらに、ウェアラブル装置１００の位置情報を受信し、温度制御された環境下での機械読み取り可能タグ２００の位置設定のための指示を、利用者４００に出力に出力するように構成されてもよい。処理装置１４８は、ディスプレイ装置１２２のディスプレイ１２４に、ウェアラブル装置１００の位置をマップにおいて表示し、機械読み取り可能タグ２００の方向をハイライトで表示させることができる。有利に、これらの特徴は、暗く又は光が不十分な温度制御された環境下において、又は、機械読み取り可能タグ２００と関連付けられる複数の多数コンテナ６００に機械読み取り可能タグ２００を位置設定する際に、利用者４００を支援することができる。したがって、位置情報は、利用者４００に、より早く、かつ、効率的に機械読み取り可能タグ２００のワイアレスによる読み取りタスクを実現させることができる。
【０１１１】
さらに、いくつかの実施形態によれば、ウェアラブル装置１００は、遠隔コンピュータ装置７０２によって読み取り可能な識別手段１７６を含むことができる。遠隔コンピュータ装置７０２は、ウェアラブル装置１００がデータベースを利用する際の認証、及び、温度制御に関するユーザの許可に、識別子を利用することができる。識別装置１７６は、遠隔コンピュータ装置７０２から読み取り可能に適合された、例えばRFIDタグ等の、機械読み取り可能タグを含むことができる。識別装置１７６は、装置番号、安全検査の年月日等の識別情報を含むことができる。
【０１１２】
ウェアラブル装置１００は、また、利用者４００の上肢４１０の温度を測定する１又は複数の内部温度センサー１８８を含んでもよい。内部温度センサー１８８は、利用者の腕４１０と接触するため、グローブのハウジング５１２等の、グローブ５００の内部に収納されることができる。内部温度センサー１８８は、図８に示すように、グローブ５００の内側面５１６上及び／又は取り外し可能なスリーブ５１８内に配置されてもよい。好ましくは、内部温度センサー１８８は、アンテナ１０２を収納するリーダーヘッド１１８の近傍に配置される。例えば、内部温度センサー１８８は、指先アンテナ１０２を有するウェアラブル装置１００の実施形態では、指先５０４のグローブハウジング５１２に配置されてもよい。処理装置１４８は、内部温度センサー１８８から温度計測値を受信することができる。処理装置１４８は、温度制御された環境下において、利用者の上肢４１０が極度な温度に晒されるか判定するために、温度計測値を監視するように構成されてもよい。処理装置１４８は、温度計測値が、危険な温度を示す閾値又は値域を上回ったかを判定し、例えば、出力装置１５２を介し、利用者４００に、温度計測値及び／又は安全な利用のためのアラームのフィードバックを提供するように構成されてもよい。
【０１１３】
いくつかの実施形態によれば、処理装置１４８は、ウェアラブル装置１００が利用者の上肢４１０に着用されているか否かの判定のため、温度計測値の監視をするように構成されてもよい。処理装置１４８は、温度計測値が、ウェアラブル装置１００が利用者４００に着用されていることを示す閾値又は値域を上回ったか否かを判定するように構成されてもよい。他の実施形態によれば（図示せず）、ウェアラブル装置１００は、力センサー又は電気抵抗センサー等の、利用者の上肢４１０とウェアラブル装置１００の接触を計測する内部センサーを含むことができる。処理装置１００は、電力源１６６の制御に、内部センサーからのデータを利用するように構成されてもよい。処理装置１００が、利用者４００がウェアラブル装置１００を利用するかを判定したとき、電力源１６６は、処理装置１００により、スリープモードからアクティブモードに起動されてもよい。そうでなければ、処理装置１００は、電力節約のため、電力源１６６をスリープモードに保つように指示してもよい。
【０１１４】
図２９は、本発明に関する好ましい実施形態による、温度制御された環境下において、ワイアレスにデータを読み取るシステム７００を示す。システムは、温度制御された環境下において、ワイアレスにデータを読み取るウェアラブル装置１００を含む。ウェアラブル装置１００は、利用者４００の上肢４１０に着用されるように構成される。ウェアラブル装置１００は、アンテナ１０２及びアンテナ１０２を起動するように構成される電気回路１０４を含み、温度制御された環境下において、機械読み取り可能タグ２００からワイアレスにデータを読み取るように構成されてもよい。システム７００は、また、ウェアラブル装置１００と通信する遠隔コンピュータ装置７０２を含む。遠隔コンピュータ装置７０２は、温度制御された環境下において、機械読み取り可能タグ２００からワイアレスでデータを読み取るように構成されてもよい。
【０１１５】
ウェアラブル装置１００は、上述した実施形態で説明した１又は複数の特徴を含むことができ、それらの様々な組み合わせを含む。さらに、遠隔コンピュータ装置７０２は、図２７及び２８の実施形態に関して説明したように、処理装置１４８と同様の機能を実行してもよい。
【０１１６】
好ましくは、遠隔コンピュータ装置７０２は、ウェアラブル装置１００からデータを受信するため、図２７に示すように、ウェアラブル装置１００の通信装置１５０と通信する。受信データは、機械読み取り可能タグ２００からワイアレスで読み取ったデータ、及び／又は、温度計測値、湿度計測結果、ガス濃度計測結果、位置情報及び識別情報のフィードバックを含むことができる。データは、ダウンロードし、またそうでなければ、ライブで又はその後の時間に、遠隔コンピュータ装置７０２に電気的に送信してもよい。例えば、遠隔コンピュータ装置７０２は、さらに、図３０に示すように、ネットワーク装置７０４を介して、ウェアラブル装置１００とワイアレスでデータ通信するように構成されてもよい。
【０１１７】
遠隔コンピュータ装置７０２は、さらに、ウェアラブル装置１００から受信したデータを利用して、在庫記録を更新するように構成されてもよい。したがって、その恒久データログは、機械読み取り可能タグ２００がその態様期間に渡って影響を受ける可能性のある種々の記録、処理及び移動の活動を通して、保つことができる。いくつかの実施形態によれば、データ記録は、継続的に行われ、データは、図３０に示したように、サーバ７１０又はワークステーション７２０等の遠隔コンピュータ装置７０２に、要求に応じて、定期的又は継続的に送信される。特に、ワークステーション７２０は、利用者４００によってアクセス可能な、温度制御された環境下にあるコンピュータ装置を含むことができる。
【０１１８】
いくつかの実施形態によれば、遠隔コンピュータ装置７０２は、図２８に示したように、ウェアラブル装置１００の１又は複数の温度センサー１６２からの温度計測値を受信するように構成されてもよい。温度計測値は、バイアルリーダー１５４又はウェアラブル装置１００のいずれかの温度センサー１６２からのものであってもよい。遠隔コンピュータ装置７０２は、温度計測値を、コンテナ６００又はバイアル６１２に保管される温度に繊細なアイテムの生存能力の監視、及び、温度に繊細なアイテムの生存能力のウェアラブル装置１００へのフィードバックに利用することができる。
【０１１９】
遠隔コンピュータ装置７０２は、また、図２８に示すように、ウェアラブル装置１００の１又は複数の内部温度センサー１８８から、温度計測値を受信するように構成されてもよい。遠隔コンピュータ装置７０２は、温度制御された環境下において、利用者の上肢４１０が極端な温度への露出の監視、及び、露出のフィードバックのウェアラブル装置１００への送信に、温度計測値を利用してもよい。加えて、遠隔コンピュータ装置７０２は、温度計測値を、PPE要件の順守のため、利用者４００が、ウェアラブル装置１００を着用しているかの判定に利用してもよい。加えて／代替え的に、遠隔コンピュータ装置７０２は、利用者４００がウェアラブル装置１００を着用しているか否かの決定に、ウェアラブル装置１００の力センサー又は電気抵抗センサーからの接触計測結果を利用してもよい。
【０１２０】
遠隔コンピュータ装置７０２は、また、ウェアラブル装置１００の１又は複数の湿度センサー１９０からの湿度計測結果、及び／又は、１又は複数のガスセンサー１９２からのガス濃度計測結果を受信するように構成されてもよい。遠隔コンピュータ装置７０２は、機械読み取り可能タグ２００と関連付けられるコンテナ６００近傍の湿度及び／又はガス濃度の監視、及び、コンテナ６００近傍での湿度上昇の可能性及び／又は利用者４００にとって周辺環境のガス濃度が安全であるか否かのフィードバックのウェアラブル装置１００への送信に、湿度及び／ガス濃度計測結果を用いてもよい。
【０１２１】
いくつかの実施形態によれば、遠隔コンピュータ装置７０２は、さらに、温度制御された環境下において、機械読み取り可能タグ２００を位置決めするため、機械読み取り可能タグ２００の位置情報をウェアラブル装置１００へ送信するように構成されてもよい。遠隔コンピュータ装置７０２は、さらに、ウェアラブル装置１００の位置情報を受信し、温度制御された環境下において、ウェアラブル装置１００の位置を追跡するように構成されてもよい。
【０１２２】
いくつかの実施形態によれば、遠隔コンピュータ装置７０２は、さらに、識別装置１７６からウェアラブル装置１００の識別子を読み取るように構成されてもよい。遠隔コンピュータ装置７０２は、さらに、データベースを用いてウェアラブル装置１００の識別子を認証し、温度制御された環境下への利用者のアクセスを許可するように構成されてもよい。有利なことに、これにより、ウェアラブル装置１００は、識別システムで使用し、例えば、PPE等を使用しない、例えばウェアラブル装置１００を持たない利用者の、実験室等の制限区域への侵入の防止に利用することができる。識別システムは、PPE要件の順守の実証に利用されてもよい。遠隔コンピュータ装置７０２は、安全かつ操作手順を満たすため、データを保管し、データログを提供することができる。データログは、温度制御された環境下への利用者の入室及び退室の記録、利用者４００のウェアラブル装置１００を着用のしるし、利用者４００が温度制御された環境にあるとき、機械読み取り可能タグ２００から読み取られたデータを含むことができる。したがって、システム７００を利用し、データベースに記録される訓練された利用者４００のみ、温度制御された環境下への侵入及びウェアラブル装置１００の利用を許可するように保証することができる。
【０１２３】
図３１は、本発明の好ましい実施形態に係る、温度制御された環境下における、ワイアレスなデータの読み取りの方法を示す。この方法は、温度制御された環境下において、ワイアレスでデータを読み取るためのウェアラブル装置１００を提供するステップ８００を含む。ウェアラブル装置１００は、利用者４００の上肢４１０に着用されるように構成される。ウェアラブル装置１００は、アンテナ１０２及び、アンテナ１０２を起動させるように構成される電気回路１０４を含み、温度制御された環境下において、機械読み取り可能タグ２００からデータをワイアレスで読み取る。この方法は、また、電気回路１０４を利用して、機械読み取り可能タグ２００からワイアレスにデータを読み取るステップ８１０を含む。ウェアラブル装置１００は、それらの種々の組み合わせ含む、上述した実施形態で説明した１又は複数の特徴を含んでもよい。
【０１２４】
いくつかの実施形態によれば、ワイアレスなデータの読み取りのステップ８１０は、電気回路１０４を利用した、機械読み取り可能タグ２００の共振の変化の検出を含むことができる。その方法は、さらに、図２４に示すように、共振部材２１２を振動させる電気回路１０４を利用して、アンテナ１０２を介した機械読み取り可能タグ２００へ励起信号を与えること、及び、電気回路１０４を利用した識別子２３０のワイアレスな読み取りを含むことができる。方法は、さらに、電気回路１０４を利用した、機械読み取り可能タグ２００と関連付けられる磁界の検出、及び、検出された磁界に基づく自動的なアンテナ１０２の起動を含むことができる。
【０１２５】
追加的に／代替え的に、この方法は、ウェアラブル装置１００の利用者操作装置を操作し、電気回路１０４を動作させ、アンテナ１０２を起動し、機械読み取り可能タグ２００からワイアレスなデータの読み取る利用者４００を含んでもよい。これは、例えば、電気回路１０４を動作させるため、例えば圧力スイッチ１７２上のボタンを押下する等、利用者４００が手動で、圧力スイッチ１７２を操作することを含む。いくつかの実施形態によれば、この方法は、代替え的に、機械読み取り可能タグ２００からワイアレスでデータを読み取るための、処理装置１４８を用いた、定期的に自動的でアンテナ１０２を起動させることを含む。
【０１２６】
いくつかの実施形態によれば、この方法は、温度制御された環境下における可視性のため、機械読み取り可能タグ２００又はウェアラブル装置１００への直接な光の供給を含む。これは、指向性を持った照明を提供するため、タグ照明器１３２又は装置照明器１３４、又は、両照明器１８０を起動する利用者４００を含んでもよい。
【０１２７】
方法は、さらに、ウェアラブル装置１００からのアンテナ１０２の延長又は取り外し、及び、温度制御された環境下における機械読み取り可能タグ２００のアンテナ１０２の近傍への配置を含んでもよい。
【０１２８】
追加的に／代替え的に、この方法は、さらに、ウェアラブル装置１００からの第２又は棒状リーダー１７０に収納される第２アンテナ１４０の延長又は取り外し、及び、温度制御された環境下における機械読み取り可能タグ２００の第２アンテナ１４０の近傍への配置を含んでもよい。利用者４００は、アンテナ１０２及び／又は第２アンテナ１４０を、ウェアラブル装置１００から延長又は取り外してもよい。この方法は、また、機械読み取り可能タグ２００と関連付けられるコンテナ６００を、結合部１３８からの１又は複数のツール１３６を用いて、アンテナ１０２の近傍に配置する利用者４００を含んでもよい。
【０１２９】
いくつかの実施形態によれば、この方法は、さらに、バイアルリーダー１５４内の機械読み取り可能タグ２００と関連付けられるバイアル６１２の受け取り、温度制御された環境下における、電気回路１０４を利用した、機械読み取り可能タグ２００からのデータのワイアレスな読み取りを含むことができる。この方法は、さらに、１又は複数の温度センサー１６２を利用した、コンテナ６００又は任意でバイアル６１２の温度の計測を含むことができる。この方法は、さらに、処理装置１４８を、以下の１又は複数に利用することを含むことができる。１又は複数の温度センサー１６２からの温度計測値の受信、コンテナ６００内に収納される温度に繊細なアイテムの監視、及び、温度に繊細なアイテムの生存能力のフィードバックの利用者４００への提供。この方法は、又、ウェアラブル装置１００と通信する遠隔コンピュータ装置７０２を、以下の１又は複数に利用することを含むことができる。１又は複数の温度センサー１６２からの温度計測値の受信、コンテナ６００に収納される温度に繊細なアイテムの生存能力の監視、及び、利用者４００のために、温度に繊細なアイテムの生存能力のフィードバックのウェアラブル装置１００への送信。
【０１３０】
いくつかの実施形態によれば、方法は、１又は複数の湿度センサー１９０及び／又はガスセンサー１９２を用いた、コンテナ６００近傍の周辺環境の湿度及び／又はガス濃度の計測を含んでもよい。この方法は、さらに、処理装置１４８を、以下の１又は複数に利用することを含むことができる。１又は複数の湿度センサー１９０及び／又はガスセンサー１９２からの、湿度及び／又はガス濃度の計測結果の受信、コンテナ６００近傍の湿度及び／又はガス濃度の監視、及び、コンテナ６００近傍での湿度の上昇の可能性及び／又は周辺環境のガス濃度が利用者に安全であるか否かのフィードバックの利用者４００への提供。この方法は、また、ウェアラブル装置１００と通信する遠隔コンピュータ装置７０２を、以下の１又は複数に利用することを含むことができる。ウェアラブル装置１００の１又は複数の湿度センサー１９０からの湿度計測結果及び／又は１又は複数のガスセンサー１９２からのガス濃度計測結果の受信、機械読み取り可能タグ２００と関連付けられるコンテナ６００近傍の湿度及び／又はガス濃度の監視、及び、コンテナ６００近傍の湿度の上昇の可能性及び／又は周辺環境のガス濃度が利用者４００に安全であるかのフィードバックのウェアラブル装置１００への送信。
【０１３１】
さらに、この方法は、処理装置１４８を以下に利用することを含むことができる。ウェアラブル装置１００の１又は複数の内部温度センサー１８８からの温度計測値の受信、温度制御された環境下における利用者の上肢４１０の極端な温度への露出の監視、露出のフィードバックの利用者４００への提供。この方法は、さらに、遠隔コンピュータ装置７０２を以下に利用することを含むことができる。ウェアラブル装置１００の１又は複数の内部温度センサー１８８からの温度計測値の受信、温度制御された環境下における利用者の上肢４１０の極端な温度への露出の監視、露出のフィードバックのウェアラブル装置１００への送信。この方法は、さらに、処理装置１４８又は遠隔コンピュータ装置７０２を利用して、温度計測値及び／又はウェアラブル装置１００の力センサー又は電気抵抗センサーからの接触計測結果に基づいて、利用者４００がウェアラブル装置１００の着用をしているかの判定することを含んでもよい。
【０１３２】
この方法は、処理装置１４８を、電気回路１０４によってワイアレスで読み取ったデータのフィードバックの提供のために利用してもよい。フィードバックは、受信データが機械読み取り可能タグ２００の読み取りに十分であるか否か及び機械読み取り可能タグ２００の識別子２３０の一方又は両方を含むことができる。この方法は、また、処理装置１４８を、通信装置１５０を用いて、フィードバックの遠隔コンピュータ装置７０２への送信に利用することを含んでもよい。処理装置１４８は、ウェアラブル装置１００の出力装置１５２を用いて、視覚、聴覚、触覚のうち１又は複数のフィードバックを利用者４００に提供する。この方法は、また、図２８に示したように、ウェアラブル装置１００の光学装置１５８を用いて、しるし及び英数字データの一方又は両方に代表されるようなデータのワイアレスな読み取りを含むことができる。
【０１３３】
いくつかの実施形態によれば、方法は、また、処理装置１４８を以下に利用することを含むことができる。遠隔コンピュータ装置７０２からの機械読み取り可能タグ２００かの位置情報の受信、及び、温度制御された環境下において、機械読み取り可能タグ２００を位置決めするための位置情報の利用者４００への出力。その方法は、また、処理装置１４８を以下に利用することを含むことができる。ロケーション装置１７６からの、ウェアラブル装置１００の位置情報の受信、及び、温度制御された環境下における、機械読み取り可能タグ２００を位置決めするための指示の利用者４００への出力。
【０１３４】
いくつかの実施形態によれば、この方法は、また、遠隔コンピュータ装置７０２を以下に利用することを含むことができる。ロケーション装置１７６からの、ウェアラブル装置１００の位置情報の受信、及び、温度制御された環境下において、ウェアラブル装置１００の位置の監視。この方法は、さらに、遠隔コンピュータ装置７０２を以下に利用することを含む。ウェアラブル装置１００の識別子の読み取り、データベースを用いた、ウェアラブル装置１００の識別子の認証、及び、認証に基づく利用者の温度制御された環境へのアクセスの許可。
【０１３５】
発明の装置、システム及び方法は、温度制御された環境下、特に、低温及び極低温保管設備において、RFIDタグ等の機械読み取り可能タグの、ワイアレスなデータの読み取りを有利に実現する。発明のウェアラブル装置は、片手による操作が可能となることが望ましく、自由な手を他の動作に利用可能にし、利用者の上肢の収納に適した形のハウジングを含む。ウェアラブル装置は、熱衝撃及び流体損傷の一方又は両方からの保護を提供するハウジングにより、極度な温度に耐えることができる。ウェアラブル装置の電気回路は、機械読み取り可能タグの共振の変化の検出により、ワイアレスなデータの読み取りができるように構成され、温度制御された環境下において利用することができる。さらに、ウェアラブル装置は、温度制御された環境下において、照明を提供することにより、機械読み取り可能タグへのアクセスを促進するように、かつ、機械読み取り可能タグのアンテナリーダーへのアクセスを促進するように構成され、また、ウェアラブル装置の発明の特徴により、逆も同様である。最後に、ウェアラブル装置は、温度制御された環境下において、ウェアラブル装置の安全かつ制御された使用を提供するため、位置及び識別子の検出とともに、機械読み取り可能タグと関連付けられるコンテナ及びウェアラブル装置及び利用者の温度監視を可能とする。
【０１３６】
ここで、明細書（請求の範囲を含む）に用いられる各「含む（"comprise", "comprises", "comprised" or "comprising"）」の用語のいずれか又は全ては、決められた特徴、整数、ステップ又は構成の存在を特定するものとして解釈されるが、他の１又は複数の特徴、整数、ステップ又は構成の存在を除外するものではない。
【０１３７】
ここに添付の（仮の）請求項で定義される本発明の範囲から逸脱することなく、前述した各部に、種々の変更、追加及び／又は代替えしてもよいことを理解されるであろう。
【０１３８】
さらなる特許出願は、本願に基づいて、又は、本願の優先件を主張して、オーストラリア又は海外で出願されるであろう。以下の（仮の）請求項は、例としてのみ提供され、そのような将来の出願の請求の範囲の範囲を限定することを目的とするものでないことを理解されるであろう。特徴は、発明をさらに定義又は再定義するため、後日、（仮の）請求項に追加又は除外してもよい。
【図１】
2021512417.tif 000003
【図２】
2021512417.tif 000004
【図３】
2021512417.tif 000005
【図４】
2021512417.tif 000006
【図５Ａ】
2021512417.tif 000007
【図５Ｂ】
2021512417.tif 000008
【図６Ａ】
2021512417.tif 000009
【図６Ｂ】
2021512417.tif 000010
【図７】
2021512417.tif 000011
【図８】
2021512417.tif 000012
【図９】
2021512417.tif 000013
【図１０】
2021512417.tif 000014
【図１１Ａ】
2021512417.tif 000015
【図１１Ｂ】
2021512417.tif 000016
【図１２Ａ】
2021512417.tif 000017
【図１２Ｂ】
2021512417.tif 000018
【図１３Ａ】
2021512417.tif 000019
【図１３Ｂ】
2021512417.tif 000020
【図１４Ａ】
2021512417.tif 000021
【図１４Ｂ】
2021512417.tif 000022
【図１５】
2021512417.tif 000023
【図１６】
2021512417.tif 000024
【図１７Ａ】
2021512417.tif 000025
【図１７Ｂ】
2021512417.tif 000026
【図１８Ａ】
2021512417.tif 000027
【図１８Ｂ】
2021512417.tif 000028
【図１８Ｃ】
2021512417.tif 000029
【図１９Ａ】
2021512417.tif 000030
【図１９Ｂ】
2021512417.tif 000031
【図２０Ａ】
2021512417.tif 000032
【図２０Ｂ】
2021512417.tif 000033
【図２０Ｃ】
2021512417.tif 000034
【図２０Ｄ】
2021512417.tif 000035
【図２０Ｅ】
2021512417.tif 000036
【図２１】
2021512417.tif 000037
【図２２】
2021512417.tif 000038
【図２３】
2021512417.tif 000039
【図２４】
2021512417.tif 000040
【図２５】
2021512417.tif 000041
【図２６】
2021512417.tif 000042
【図２７】
2021512417.tif 000043
【図２８】
2021512417.tif 000044
【図２９】
2021512417.tif 000045
【図３０】
2021512417.tif 000046
【図３１】
2021512417.tif 000047
【国際調査報告】
2021512417.tif 000048
2021512417.tif 000049
2021512417.tif 000050